(57)【要約】本明細書で説明される様々な態様は、ワイヤレス通信において基準信号（ＲＳ）リソースの構成を決定することに関する。リソースのスケジューリンググラントは、アクセスポイントから受信され得、ここにおいて、スケジューリンググラントは、１つまたは複数のＲＳの送信ロケーションに関する１つまたは複数のパラメータをインジケートする。ＲＳリソースロケーションは、１つまたは複数のパラメータに少なくとも部分的に基づいて、１つまたは複数のＲＳのために決定され得る。１つまたは複数のＲＳは、ＲＳリソースロケーション上で受信され得、時間および／または周波数におけるＲＳの間引きを可能にする。【選択図】図１２
2019509666.tif 000002
【特許請求の範囲】
【請求項１】
ワイヤレス通信において基準信号（ＲＳ）リソースの構成を決定するための方法であって、
アクセスポイントからリソースのスケジューリンググラントを受信することと、ここにおいて、前記スケジューリンググラントは、１つまたは複数のＲＳの送信ロケーションに関する１つまたは複数のパラメータをインジケートする、
前記１つまたは複数のパラメータに少なくとも部分的に基づいて、前記１つまたは複数のＲＳのためのＲＳリソースロケーションを決定することと、
前記ＲＳリソースロケーション上で前記１つまたは複数のＲＳを受信することと
を備える方法。
【請求項２】
前記スケジューリンググラントは、チャネル状態情報（ＣＳＩ）−ＲＳ送信に対応するプロセス番号をインジケートし、前記ＲＳリソースロケーションを決定することは、前記プロセス番号に少なくとも部分的に基づいて、少なくとも、前記アクセスポイントによって前記ＣＳＩ−ＲＳが送信される送信時間間隔（ＴＴＩ）を決定することを含み、前記１つまたは複数のＲＳを受信することは、前記アクセスポイントから前記ＴＴＩ中に前記ＣＳＩ−ＲＳを受信することを含む、請求項１に記載の方法。
【請求項３】
前記ＣＳＩ−ＲＳの１つまたは複数の測定値を生成することと、
前記ＣＳＩに対するＣＳＩフィードバックを報告するためのアップリンクスケジューリンググラントを受信することと、
前記アップリンクスケジューリンググラントに基づいて、後続のＴＴＩにおいて前記１つまたは複数の測定値を前記ＣＳＩフィードバックとして前記アクセスポイントに報告することと
をさらに備える、請求項２に記載の方法。
【請求項４】
前記１つまたは複数の測定値を報告することは、前記アップリンクスケジューリンググラントに対応するチャネル上で送信するために、前記１つまたは複数の測定値をデータと多重化することを含む、請求項３に記載の方法。
【請求項５】
前記１つまたは複数の測定値を報告することは、前記アップリンクスケジューリンググラントに対応するチャネルのセグメント上で前記１つまたは複数の測定値を送信することを含む、請求項３に記載の方法。
【請求項６】
前記アップリンクスケジューリンググラントは、前記セグメントのインデックスをインジケートする、請求項５に記載の方法。
【請求項７】
前記プロセス番号に対応するアンテナポートの数を決定することをさらに備え、前記ＣＳＩ−ＲＳは、前記数のアンテナポート上で受信される、請求項２に記載の方法。
【請求項８】
前記アンテナポートの数に対応する、周波数における１つまたは複数のＲＳトーンを決定することをさらに備え、前記ＣＳＩ−ＲＳは、前記１つまたは複数のＲＳトーン上で受信される、請求項７に記載の方法。
【請求項９】
前記１つまたは複数のＲＳトーンを決定することは、前記ＴＴＩにおいてユーザ機器（ＵＥ）−ＲＳが送信されるかどうかに少なくとも部分的に基づく、請求項８に記載の方法。
【請求項１０】
前記スケジューリンググラントは、ユーザ機器（ＵＥ）−ＲＳが送信時間間隔（ＴＴＩ）において受信されることになるかどうかをさらにインジケートし、前記ＲＳリソースロケーションを決定することは、少なくとも、前記ＵＥ−ＲＳを受信するための送信時間間隔（ＴＴＩ）を決定することを含み、前記１つまたは複数のＲＳを受信することは、前記アクセスポイントから前記ＴＴＩ中に前記ＵＥ−ＲＳを受信することを含む、請求項１に記載の方法。
【請求項１１】
少なくとも前記ＴＴＩを決定することは、前記スケジューリンググラントにおいて指定された前記１つまたは複数のパラメータに少なくとも部分的に基づく、請求項１０に記載の方法。
【請求項１２】
前記アクセスポイントから前記ＴＴＩにおいてチャネル状態情報（ＣＳＩ）−ＲＳを受信することをさらに備える、請求項１０に記載の方法。
【請求項１３】
セル固有基準信号（ＣＲＳ）測定値を前記アクセスポイントに報告することをさらに備え、前記１つまたは複数のパラメータは、前記ＣＲＳ測定値に基づく前記１つまたは複数のＲＳのためのＲＳ周波数トーンをインジケートする、請求項１に記載の方法。
【請求項１４】
前記スケジューリンググラントは、送信時間間隔（ＴＴＩ）の間チャネル状態情報（ＣＳＩ）−干渉管理（ＩＭ）がイネーブルにされるかどうかをさらにインジケートし、前記方法は、構成されたＣＳＩ−ＩＭリソースロケーションに基づいて干渉測定またはレートマッチングを行うことをさらに備える、請求項１に記載の方法。
【請求項１５】
無線リソース制御（ＲＲＣ）構成において前記ＴＴＩ内に前記構成されたＣＳＩ−ＩＭリソースロケーションのインジケーションを受信することに基づいて、前記構成されたＣＳＩ−ＩＭリソースロケーションを決定することをさらに備える、請求項１４に記載の方法。
【請求項１６】
複数の送信時間間隔（ＴＴＩ）内に制御信号を復調および復号すること、制御データを取り除くために前記制御信号を再変調することに基づいて前記複数のＴＴＩの各々ごとにチャネル推定値を取得すること、および前記チャネル推定値を差し引くことに少なくとも部分的に基づいて、前記複数のＴＴＩにわたって１つまたは複数のアクセスポイントからの干渉レベルを決定することをさらに備える、請求項１に記載の方法。
【請求項１７】
ワイヤレス通信において基準信号（ＲＳ）を送信するためのリソースの構成を指定するための方法であって、
ユーザ機器（ＵＥ）と通信するためのリソースのスケジューリンググラントを生成することと、ここにおいて、前記スケジューリンググラントは、１つまたは複数のＲＳを送信することに関する１つまたは複数のパラメータをインジケートする、
前記スケジューリンググラントを前記ＵＥに送信することと、
前記１つまたは複数のパラメータに少なくとも部分的に基づいて、ＲＳリソース上で前記１つまたは複数のＲＳを送信することと
を備える方法。
【請求項１８】
前記スケジューリンググラントは、チャネル状態情報（ＣＳＩ）−ＲＳ送信に対応するプロセス番号をインジケートし、前記１つまたは複数のＲＳを送信することは、前記プロセス番号に対応する送信時間間隔（ＴＴＩ）中に前記ＣＳＩ−ＲＳを送信することを含む、請求項１７に記載の方法。
【請求項１９】
ＣＳＩフィードバックを送信するためのアップリンクスケジューリンググラントを前記ＵＥに送信することをさらに備える、請求項１８に記載の方法。
【請求項２０】
前記アップリンクスケジューリンググラントに基づいて、後続のＴＴＩにおいて前記ＵＥから前記ＣＳＩ−ＲＳに対応するＣＳＩフィードバックを受信することをさらに備える、請求項１９に記載の方法。
【請求項２１】
前記ＣＳＩフィードバックを受信することは、前記アップリンクスケジューリンググラントに対応するチャネル上で、データと多重化された前記ＣＳＩフィードバックを受信することを含む、請求項２０に記載の方法。
【請求項２２】
前記アップリンクスケジューリンググラントは、前記チャネルのセグメントのインデックスをインジケートし、ここで、他のセグメントは、他のＵＥに割り当てられ、前記ＣＳＩフィードバックを受信することは、前記チャネルの前記セグメントにおいて前記ＣＳＩフィードバックを受信することを含む、請求項２０に記載の方法。
【請求項２３】
前記ＣＳＩ−ＲＳを送信することは、前記プロセス番号に対応するある数のアンテナポート上で前記ＣＳＩ−ＲＳを送信することを含む、請求項１８に記載の方法。
【請求項２４】
無線リソース制御（ＲＲＣ）シグナリング）を使用して、複数のプロセス番号および関連するパラメータを前記ＵＥにシグナリングすることをさらに備え、ここにおいて、前記ＣＳＩ−ＲＳを送信することは、前記プロセス番号に関する前記関連するパラメータに基づく、請求項２３に記載の方法。
【請求項２５】
前記ＣＳＩ−ＲＳを送信することは、前記アンテナポートの数に対応する、周波数におけるチャネル上で前記ＣＳＩ−ＲＳを送信することを含む、請求項２３に記載の方法。
【請求項２６】
前記ＴＴＩにおいてユーザ機器（ＵＥ）−ＲＳを前記ＵＥに送信することをさらに備える、請求項１８に記載の方法。
【請求項２７】
セル固有基準信号（ＣＲＳ）送信に対応する前記ＵＥからのチャネルコヒーレンス帯域幅の推定値を受信することと、
前記チャネルコヒーレンス帯域幅の前記推定値に少なくとも部分的に基づいて、前記１つまたは複数のＲＳのための周波数トーンの数を決定することと、ここにおいて、前記１つまたは複数のＲＳを送信することは、前記周波数トーンの数に基づく、
をさらに備える、請求項１７に記載の方法。
【請求項２８】
前記スケジューリンググラントは、送信時間間隔（ＴＴＩ）についてチャネル状態情報（ＣＳＩ）−干渉管理（ＩＭ）がイネーブルにされるかどうかをインジケートする、請求項１７に記載の方法。
【請求項２９】
ワイヤレス通信のための装置であって、
１つまたは複数のアンテナを介して１つまたは複数のワイヤレス信号を通信するためのトランシーバと、
命令を記憶するように構成されたメモリと、
前記トランシーバおよび前記メモリと通信的に結合された１つまたは複数のプロセッサ
を備え、前記１つまたは複数のプロセッサは、
アクセスポイントからリソースのスケジューリンググラントを受信することと、ここにおいて、前記スケジューリンググラントは、１つまたは複数の基準信号（ＲＳ）の送信ロケーションに関する１つまたは複数のパラメータをインジケートする、
前記１つまたは複数のパラメータに少なくとも部分的に基づいて、前記１つまたは複数のＲＳのためのＲＳリソースロケーションを決定することと、
前記ＲＳリソースロケーション上で前記１つまたは複数のＲＳを受信することと
を行うように構成される、装置。
【請求項３０】
ワイヤレス通信のための装置であって、
１つまたは複数のアンテナを介して１つまたは複数のワイヤレス信号を通信するためのトランシーバと、
命令を記憶するように構成されたメモリと、
前記トランシーバおよび前記メモリと通信的に結合された１つまたは複数のプロセッサと
を備え、前記１つまたは複数のプロセッサは、
ユーザ機器（ＵＥ）と通信するためのリソースのスケジューリンググラントを生成することと、ここにおいて、前記スケジューリンググラントは、１つまたは複数の基準信号（ＲＳ）を送信することに関する１つまたは複数のパラメータをインジケートする、
前記スケジューリンググラントを前記ＵＥに送信することと、
前記１つまたは複数のパラメータに少なくとも部分的に基づいて、ＲＳリソース上で前記１つまたは複数のＲＳを送信することと
を行うように構成される、装置。
【発明の詳細な説明】
【米国特許法第１１９条に基づく優先権の主張】
【０００１】
[0001]  本願は、２０１６年１０月１４日に出願された「TECHNIQUES FOR CONFIGURING REFERENCE SIGNALS IN LOW LATENCY WIRELESS COMMUNICATIONS」と題する非仮出願第１５／２９４，４５３および２０１６年２月５日に出願された「TECHNIQUES FOR CONFIGURING REFERENCE SIGNALS IN LOW LATENCY WIRELESS COMMUNICATIONS」と題する仮出願第６２／２９２，０７３号に対する優先権を主張するもので、これは本願の譲受人に譲渡され、これによって、あらゆる目的のために参照によってここに明確に組み込まれる。
【背景技術】
【０００２】
[0002]   ここで説明されるのは、一般に通信システムに関する態様であって、より具体的にはワイヤレス通信において基準信号を構成することである。
【０００３】
[0003]  ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソース（例えば、帯域幅、送信電力）を共有することで複数のユーザとの通信をサポートする能力がある多元接続技術を採用し得る。このような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続（ＳＣ−ＦＤＭＡ）システム、および時分割同期符号分割多元接続（ＴＤ−ＳＣＤＭＡ）システムが含まれる。
【０００４】
[0004]  これら多元接続技術は、異なるワイヤレスデバイスが、地方自治体レベル、全国レベル、地域レベル、さらには地球全体レベルで通信することを可能にする共通のプロトコルを提供するために、様々な電気通信規格に採用されてきた。電気通信規格の一例は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）モバイル規格の拡張セットである。これは、スペクトル効率を改善することでモバイルブロードバンドインターネットアクセスをより快適にサポートし、コストを下げ、サービスを向上させ、新たなスペクトラムを利用し、ダウンリンク（ＤＬ：downlink）でＯＦＤＭＡを、アップリンク（ＵＬ：uplink）でＳＣ−ＦＤＭＡを、そして多入力多出力（ＭＩＭＯ）アンテナ技術を使用する他のオープン規格とより良好に統合するように設計されている。しかしながら、モバイルブロードバンドアクセスに対する需要が増加し続けるので、ＬＴＥ技術のさらなる改善が望まれ得る。好ましくは、これら改善が、他の多元接続技術およびこれら技術を採用する電気通信規格に適用可能であるべきである。
【０００５】
[0005]  ＬＴＥでは、チャネル状態情報（ＣＳＩ：channel state information）−ＲＳおよびユーザ機器（ＵＥ：user equipment）−ＲＳのようないくつかの基準信号（ＲＳ：reference signals）が、サブフレームの複数のシンボル（例えば、直交周波数分割多重化（ＯＦＤＭ）シンボル、単一キャリア周波数分割多重化（ＳＣ−ＦＤＭ）シンボル、等）における送信のためにスケジューリングされ得、ここで、サブフレームは、１ミリ秒（ｍｓ）の送信時間間隔（ＴＴＩ：transmission time interval）である。ＲＳのスケジューリングは、ＲＳ送信に対応するアンテナポートの数に基づき得る。低レイテンシ通信のためのより短い持続時間のＴＴＩ（例えば、１シンボル、２シンボル、１スロット、等のＴＴＩ）を考慮する際、ＴＴＩごとにＣＳＩ−ＲＳ、ＵＥ−ＲＳ、または他のＲＳに対して同じスケジューリングを使用することは、望まれるより多くの帯域幅を利用し得、これは、より短い持続時間のＴＴＩを選択することの性能優位性を減少させ得る。
【発明の概要】
【０００６】
[0006]  以下は、１つまたは複数の態様の簡略化された概要を、こうした態様の基本的な理解を与えるために提示するものである。この概要は、全ての予期される態様の広範な概観でなく、全ての態様の主要または重要な要素を識別することや、任意のまたは全ての態様の範囲を定めることを意図されない。その唯一の目的は、後に提示されるより詳細な説明への前置きとして、１つまたは複数の態様のいくつかの概念を簡略化された形式で提示することである。
【０００７】
[0007]  ある例によれば、ワイヤレス通信において基準信号（ＲＳ）リソースの構成を決定するための方法が提供される。この方法は、アクセスポイントから、リソースのスケジューリンググラントを受信することを含む。このスケジューリンググラントは、１つまたは複数のＲＳの送信ロケーションに関する１つまたは複数のパラメータをインジケートする(indicate)。この方法はまた、１つまたは複数のパラメータに少なくとも部分的に基づいて、１つまたは複数のＲＳのためのＲＳリソースロケーションを決定することと、ＲＳリソースロケーション上で１つまたは複数のＲＳを受信することとを含む。
【０００８】
[0008]  別の例では、ワイヤレス通信においてＲＳを送信するためのリソースの構成を指定するための方法であって、ユーザ機器（ＵＥ）と通信するためのリソースのスケジューリンググラントを生成することを含む、方法が提供される。このスケジューリンググラントは、１つまたは複数のＲＳを通信することに関する１つまたは複数のパラメータをインジケートする。この方法は、スケジューリンググラントをＵＥに送信することと、１つまたは複数のパラメータに少なくとも部分的に基づいて、ＲＳリソース上で１つまたは複数のＲＳを送信することとをさらに含む。
【０００９】
[0009]  さらなる態様では、ワイヤレス通信のための装置であって、１つまたは複数のアンテナを介して１つまたは複数のワイヤレス信号を通信するためのトランシーバと、命令を記憶するように構成されたメモリと、トランシーバおよびメモリと通信的(communicatively)に結合された１つまたは複数のプロセッサとを含む、装置が提供される。この１つまたは複数のプロセッサは、アクセスポイントから、リソースのスケジューリンググラントを受信することと、ここで、スケジューリンググラントは、１つまたは複数のＲＳの送信ロケーションに関する１つまたは複数のパラメータをインジケートする、１つまたは複数のパラメータに少なくとも部分的に基づいて、１つまたは複数のＲＳのためのＲＳリソースロケーションを決定することと、ＲＳリソースロケーション上で１つまたは複数のＲＳを受信することとを行うように構成される。
【００１０】
[0010]  また、ある態様では、ワイヤレス通信のための装置であって、１つまたは複数のアンテナを介して１つまたは複数のワイヤレス信号を通信するためのトランシーバと、命令を記憶するように構成されたメモリと、トランシーバおよびメモリと通信的に結合された１つまたは複数のプロセッサとを含む、装置が提供される。この１つまたは複数のプロセッサは、ＵＥと通信するためのリソースのスケジューリンググラントを生成することと、ここで、スケジューリンググラントは、１つまたは複数のＲＳを通信することに関する１つまたは複数のパラメータをインジケートする、スケジューリンググラントをＵＥに送信することと、１つまたは複数のパラメータに少なくとも部分的に基づいて、ＲＳリソース上で１つまたは複数のＲＳを送信することとを行うように構成される。
【００１１】
[0011]  ある態様では、ワイヤレス通信においてＲＳリソースの構成を決定するための装置が提供される。この装置は、アクセスポイントから、リソースのスケジューリンググラントを受信するための手段を含む。このスケジューリンググラントは、１つまたは複数のＲＳの送信ロケーションに関する１つまたは複数のパラメータをインジケートする。この装置はまた、１つまたは複数のパラメータに少なくとも部分的に基づいて、１つまたは複数のＲＳのためのＲＳリソースロケーションを決定するための手段と、ＲＳリソースロケーション上で１つまたは複数のＲＳを受信するための手段とを含む。
【００１２】
[0012]  別の例では、ワイヤレス通信においてＲＳを送信するためのリソースの構成を指定するための装置であって、ＵＥと通信するためのリソースのスケジューリンググラントを生成するための手段を含む、装置が提供される。このスケジューリンググラントは、１つまたは複数のＲＳを通信することに関する１つまたは複数のパラメータをインジケートする。この装置は、スケジューリンググラントをＵＥに送信するための手段と、１つまたは複数のパラメータに少なくとも部分的に基づいて、ＲＳリソース上で１つまたは複数のＲＳを送信するための手段とをさらに含む。
【００１３】
[0013]  ある態様では、ワイヤレス通信においてＲＳリソースの構成を決定するためのコンピュータ実行可能なコードを含むコンピュータ可読媒体が提供される。このコードは、アクセスポイントから、リソースのスケジューリンググラントを受信するためのコードを含む。このスケジューリンググラントは、１つまたは複数のＲＳの送信ロケーションに関する１つまたは複数のパラメータをインジケートする。このコードはまた、１つまたは複数のパラメータに少なくとも部分的に基づいて、１つまたは複数のＲＳのためのＲＳリソースロケーションを決定するためのコードと、ＲＳリソースロケーション上で１つまたは複数のＲＳを受信するためのコードとを含む。
【００１４】
[0014]  別の例では、ワイヤレス通信においてＲＳを送信するためのリソースの構成を指定するためのコンピュータ実行可能なコードを含むコンピュータ可読媒体であって、ＵＥと通信するためのリソースのスケジューリンググラントを生成するためのコードを含む、媒体が提供される。このスケジューリンググラントは、１つまたは複数のＲＳを通信することに関する１つまたは複数のパラメータをインジケートする。このコードは、スケジューリンググラントをＵＥに送信するためのコードと、１つまたは複数のパラメータに少なくとも部分的に基づいて、ＲＳリソース上で１つまたは複数のＲＳを送信するためのコードとをさらに含む。
【００１５】
[0015]  前述の目的および関連する目的を達成するために、１つまたは複数の態様は、以下で十分に説明され、特許請求の範囲おいて具体的に指摘される特徴を備える。以下の説明および添付の図面は、１つまたは複数の態様の特定の実例となる特徴(certain illustrative features)を詳細に示す。しかしながら、これら特徴は、様々な態様の原理が採用され得る様々な方法のうちのほんのいくつかを示すもの(indicative)であり、この説明は、全てのこのような態様およびそれらの均等物を含むことを意図される。
【００１６】
[0016]  ここで説明される態様のより完全な理解を容易にするために、同様の要素が同様の番号で参照される添付の図面への参照がなされる。これら図面は、本開示を限定するものと解釈されるべきでなく、実例となることだけを意図される。
【図面の簡単な説明】
【００１７】
【図１】ここで説明される態様に係る、電気通信システムの例を概念的に例示するブロック図を示す。
【図２】アクセスネットワークの例を例示する図である。
【図３】アクセスネットワークにおける発展型ノードＢおよびユーザ機器の例を例示する図である。
【図４】超低レイテンシ（ＵＬＬ）帯域幅割振りのためのタイムラインの例を例示する図である。
【図５】ここで説明される態様に係る、基準信号（ＲＳ）リソースを構成するためのシステムの例を例示する図である。
【図６】ここで説明される態様に係る、ＲＳリソースロケーションの構成を決定するための方法の例のフローチャートである。
【図７】ここで説明される態様に係る、ＲＳリソースロケーションおよびフィードバック報告ロケーションの構成を決定するための方法の例のフローチャートである。
【図８】ここで説明される態様に係る、ＲＳ周波数トーンを含むＲＳリソースロケーションの構成を決定するための方法の例のフローチャートである。
【図９】ここで説明される態様に係る、ＲＳリソースロケーションを構成するための方法の例のフローチャートである。
【図１０】ここで説明される態様に係る、干渉レベルを推定するための方法の例のフローチャートである。
【図１１】ここで説明される態様に係る、ＲＳおよび関連フィードバックの送信のためのリソースを割り振るためのＴＴＩの集合の例を例示する図である。
【図１２】ここで説明される態様に係る、ＲＳ周波数割振りの例を例示する図である。
【発明の詳細な説明】
【００１８】
[0029]  添付の図面に関連して以下に明記される詳細な説明は、様々な構成の説明であることを意図され、ここに説明される概念が実施され得る唯一の構成を表すことを意図されない。詳細な説明は、様々な概念の完全な理解を与える目的で特定の詳細を含む。しかしながら、これら概念がこれら特定の詳細なしに実施され得ることは、当業者に明らかであろう。いくつかの事例では、周知の構造および構成要素がこのような概念を曖昧にしないためにブロック図形式で示される。
【００１９】
[0030]  電気通信システムのいくつかの態様が、様々な装置および方法に関連して次に提示されることになる。これら装置および方法は、以下の詳細な説明において説明され、（「要素」と総称される）様々なブロック、モジュール、構成要素、回路、ステップ、プロセス、アルゴリズム、等によって、添付の図面において例示される。これら要素は、電子ハードウェア、コンピュータソフトウェア、またはこれらの任意の組み合わせを使用して実施され得る。このような要素が、ハードウェアとして実施されるかソフトウェアとして実施されるかは、特定の用途とシステム全体に課せられる設計制約とに依存する。
【００２０】
[0031]  例として、１つの要素、または１つの要素の任意の部分、または複数の要素の任意の組合せは、１つまたは複数のプロセッサを含む「処理システム」で実施され得る。プロセッサの例には、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、状態マシン、ゲートロジック、ディスクリートハードウェア回路、および本開示の全体にわたって説明される様々な機能を行うように構成された他の適切なハードウェアが含まれる。処理システム中の１つまたは複数のプロセッサは、ソフトウェアを実行し得る。ソフトウェアは、ソフトウェア、ファームウェア、ミドルウェア、マイクロコード、ハードウェア記述言語、またはその他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるものとする。
【００２１】
[0032]  従って、１つまたは複数の態様では、説明される機能が、ハードウェア、ソフトウェア、ファームウェア、またはこれらの任意の組合せで実施され得る。ソフトウェアで実施される場合、これら機能は、コンピュータ可読媒体上で、１つまたは複数の命令またはコードとして記憶または符号化され得る。コンピュータ可読媒体は、コンピュータ記憶媒体を含む。記憶媒体は、コンピュータによってアクセス可能な任意の利用可能な媒体であり得る。限定でなく例として、そのようなコンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、あるいは、命令またはデータ構造の形式で所望のプログラムコードを搬送または記憶するために使用されることができ、かつコンピュータによってアクセスされることができる任意の他の媒体を備えることができる。ここで使用されるような、ディスク（disk）およびディスク（disc）が、コンパクトディスク（ＣＤ）、レーザーディスク（登録商標）、光ディスク、デジタル多用途ディスク（ＤＶＤ）、およびフロッピー（登録商標）ディスクを含み、ディスク（disk）が通常磁気的にデータを再生し、ディスク（disc）がレーザで光学的にデータを再生する。上記の組合せもまた、コンピュータ可読媒体の範囲内に含まれるべきである。
【００２２】
[0033]  ここで説明されるのは、低レイテンシワイヤレス通信における基準信号（ＲＳ：reference signals）の送信のための構成を決定することに関する様々な態様である。例えば、超低レイテンシ（ＵＬＬ：ultra low latency）通信技術ともここで呼ばれる低レイテンシ通信技術が、第３世代パートナーシッププロジェクト（３ＧＰＰ）ロングタームエボリューション（ＬＴＥ）のようなレガシワイヤレス通信技術に基づき得るが、異なる長さの送信時間間隔（ＴＴＩ：transmission time intervals）を利用し得る（例えば、ＵＬＬ通信技術は、レガシ通信技術より短いＴＴＩ持続時間を有し得る）。例えば、レガシＬＴＥ技術が、ＬＴＥにおいて定義された１サブフレームの持続時間（例えば、１ミリ秒）を有するＴＴＩを利用し得、ここで、ＵＬＬ ＬＴＥ技術が、サブフレームより短い持続時間（例えば、サブフレームの１つのシンボル（例えば、直交周波数分割多重化（ＯＦＤＭ）シンボル、単一キャリア周波数分割多重化（ＳＣ−ＦＤＭ）シンボル、等）、２つのシンボル、複数のシンボルを含むサブフレームスロット、等）を有するＴＴＩに基づき得る。このように、通信における低レイテンシは、より短くより頻繁なＴＴＩによって達成される。
【００２３】
[0034]  ＵＬＬ ＬＴＥでは、ＬＴＥで定義されたようなＴＴＩに対してＣＳＩ−ＲＳおよび／またはＵＥ−ＲＳスケジューリングを使用することが、特に、１シンボルまたは２シンボルＴＴＩ構成において８ポートＣＳＩ−ＲＳの場合、著しいオーバヘッドをもたらし得る。ＵＥ−ＲＳをＴＴＩに加えることは、オーバヘッドを増加させる可能性がある。従って、ここで説明される態様は、レガシ（例えば、ＬＴＥ）設計と比較して、時間(time)および／または周波数(frequency)において送信を間引く（decimate）ように、ＵＬＬ通信技術のためにＣＳＩ−ＲＳパターンを再設計することに関する。いくつかの例では、ＣＳＩ−ＲＳおよび／またはＵＥ−ＲＳの送信は、時間および／または周波数において低減され得る。一例では、ＵＬＬ通信技術のためのＣＳＩ−ＲＳおよび／またはＵＥ−ＲＳが、ＴＴＩごとにＲＳオーバヘッドを制御するために時間において動的にスケジューリングされ得る。この例では、ＣＳＩ−ＲＳに基づくＣＳＩ報告が、動的にスケジューリングされたＣＳＩ−ＲＳに基づいてトリガされ得る。別の例では、ＵＬＬ通信技術のためのＣＳＩ−ＲＳおよび／またはＵＥ−ＲＳが、ＴＴＩごとにＲＳオーバヘッドを制御するために、周波数密度が（例えば、１つまたは複数のＲＳ周波数トーンに）低減され得る。いくつかの例において、ＣＳＩ−ＲＳは、（例えば、ＬＴＥで使用される固定の無線リソース制御（ＲＲＣ：radio resource control）構成とは対照的に、）少なくとも部分的に、ＵＥに送られるスケジューリンググラント中にスケジューリング情報を含めることで、動的にスケジューリングされ得る。例えば、スケジューリンググラントは、スケジューリングされたＣＳＩ−ＲＳに対応し得るプロセス番号(process number)をインジケートし得るもので、ＵＥがプロセス番号を取得して、ＣＳＩ−ＲＳを送信するためのＴＴＩおよび／またはＲＳ周波数トーンを決定するために使用できる。加えて、ある例では、ＣＳＩ−干渉管理（ＩＭ：interference management）情報がまた、ＴＴＩのために動的にトリガされ得るか、または干渉情報が、ここでさらに説明されるように、ＵＬＬデータチャネルに埋め込まれているＵＬＬ制御チャネルのプロパティに基づいて代替的に決定され得る。
【００２４】
[0035]  まず図１を参照すると、図が、ここで説明される態様に係る、ワイヤレス通信システム１００の例を例示する。ワイヤレス通信システム１００は、複数のアクセスポイント（例えば、基地局、ｅＮＢ、またはＷＬＡＮアクセスポイント）１０５と、多数の（a number of）ユーザ機器（ＵＥ）１１５と、コアネットワーク１３０とを含む。アクセスポイント１０５は、ＵＬＬ通信技術を使用してＵＥ１１５との通信のためのリソースを割り振るように構成されたスケジューリング構成要素３０２を含み得る。同様に、ＵＥ１１５のうちの１つまたは複数が、ＵＬＬ通信技術（例えば、ＵＬＬ ＬＴＥ）を使用して１つまたは複数のアクセスポイント１０５と通信するように構成された通信構成要素３６１を含み得る。アクセスポイント１０５のうちのいくつかは、基地局コントローラ（図示されない）の制御下でＵＥ１１５と通信し得、これは、様々な例においてコアネットワーク１３０の一部または特定のアクセスポイント１０５（例えば、基地局またはｅＮＢ）であり得る。アクセスポイント１０５は、バックホールリンク１３２を通してコアネットワーク１３０と制御情報および／またはユーザデータを通信し得る。複数の例において、アクセスポイント１０５は、ワイヤードまたはワイヤレス通信リンクであり得るバックホールリンク１３４を通じて互いに、直接的にまたは間接的に、通信し得る。ワイヤレス通信システム１００は、複数のキャリア（異なる周波数の波形信号）上での動作をサポートし得る。マルチキャリア送信機は、変調された信号を、複数のキャリア上で同時に送信できる。例えば、各通信リンク１２５は、上述された様々な無線技術に従って変調されたマルチキャリア信号であり得る。各変調された信号は、異なるキャリア上で送られ得、制御情報（例えば、基準信号、制御チャネル、等）、オーバヘッド情報、データ、等を搬送し得る。
【００２５】
[0036]  いくつかの例では、ワイヤレス通信システム１００の少なくとも一部分が、複数の階層レイヤ上で動作するように構成され得、ここにおいてＵＥ１１５のうちの１つまたは複数と、アクセスポイント１０５のうちの１つまたは複数とは、別の階層レイヤに対して低減されたレイテンシを有する１つの階層レイヤ上での送信をサポートするように構成され得る。いくつかの例では、ハイブリッドＵＥ１１５−ａが、（「レガシ通信技術」に関し得る）第１のＴＴＩを使用した第１のレイヤ送信をサポートする第１の階層レイヤおよび（「ＵＬＬ通信技術」に関し得る）第１のＴＴＩより短いものであり得る第２のＴＴＩを使用した第２のレイヤ送信をサポートする第２の階層レイヤの両方上でアクセスポイント１０５−ａと通信し得る。
【００２６】
[0037]  他の例では、第２のレイヤＵＥ１１５−ｂが、第２の階層レイヤ上でのみアクセスポイント１０５−ｂと通信し得る。ゆえに、ハイブリッドＵＥ１１５−ａおよび第２のレイヤＵＥ１１５−ｂは、第２の階層レイヤ上で通信できる第２のクラスのＵＥ１１５に属し得、レガシＵＥ１１５は、第１の階層レイヤ上でのみ通信し得る第１のクラスのＵＥ１１５に属し得る。アクセスポイント１０５−ｂおよびＵＥ１１５−ｂは、第２のサブフレームタイプのサブフレームの送信を通して第２の階層レイヤ上で通信し得る。アクセスポイント１０５−ｂは、第１または第２の階層レイヤのみに関する通信を送信し得るか、第１および第２の階層レイヤの両方のための通信を送信し得る。アクセスポイント１０５−ｂが第１および第２の階層レイヤの両方をサポートする場合、通信構成要素３６１は、ここで説明されるように、第１および第２の階層レイヤに関する、アクセスポイント１０５−ｂから受信される通信を優先するように構成され得る。
【００２７】
[0038]  アクセスポイント１０５は、１つまたは複数のアクセスポイントアンテナを介してＵＥ１１５とワイヤレスに通信し得る。アクセスポイント１０５のサイトの各々は、それぞれのカバレッジエリア１１０に通信カバレッジを提供し得る。いくつかの例において、アクセスポイント１０５は、トランシーバ基地局、無線基地局、無線トランシーバ、基本サービスセット（ＢＳＳ：basic service set）、拡張サービスセット（ＥＳＳ：extended service set）、ノードＢ、ｅノードＢ、ホームノードＢ、ホームｅノードＢ、または何らかの他の適切な用語で呼ばれ得る。基地局のためのカバレッジエリア１１０は、このカバレッジエリアの一部のみを構成する複数のセクタ（図示されない）に分割され得る。ワイヤレス通信システム１００は、異なるタイプのアクセスポイント１０５（例えば、マクロ、マイクロ、および／またはピコ基地局）を含み得る。アクセスポイント１０５はまた、セルラおよび／またはＷＬＡＮ無線アクセス技術（ＲＡＴ）のような、異なる無線技術も利用し得る。アクセスポイント１０５は、同じまたは異なるアクセスネットワークまたはオペレータ配備に関連付けられ得る。同じまたは異なるタイプのアクセスポイント１０５のカバレッジエリアを含み、同じまたは異なる無線技術を利用し、および／または同じまたは異なるアクセスネットワークに属する、異なるアクセスポイント１０５のカバレッジエリアは重複し得る。
【００２８】
[0039]  ＬＴＥ／ＬＴＥ−Ａおよび／またはＵＬＬ ＬＴＥ通信技術を使用するネットワーク通信システムにおいて、発展型ノードＢ（ｅノードＢまたはｅＮＢ）という用語は、一般に、アクセスポイント１０５を説明するために使用され得る。ワイヤレス通信システム１００は、異なるタイプのアクセスポイントが様々な地理的領域にカバレッジを提供する異種ＬＴＥ／ＬＴＥ−Ａ／ＵＬＬ ＬＴＥネットワークであり得る。例えば、各アクセスポイント１０５は、マクロセル、ピコセル、フェムトセル、および／または他のタイプのセルに通信カバレッジを提供し得る。ピコセル、フェムトセル、および／または他のタイプのセルのようなスモールセルは、低電力ノードすなわちＬＰＮを含み得る。マクロセルは一般に、比較的広い地理的エリア（例えば、半径数キロメートル）をカバーし、ネットワークプロバイダにサービス加入しているＵＥ１１５による無制限のアクセスを可能にし得る。スモールセルは一般に、比較的狭い地理的エリアをカバーし、例えば、ネットワークプロバイダにサービス加入しているＵＥ１１５による無制限のアクセスを可能にし得、そして無制限のアクセスに加えて、このスモールセルと関連性のあるＵＥ１１５（例えば、クローズド加入者グループ（ＣＳＧ：closed subscriber group）のＵＥ、家の中にいるユーザのＵＥ、等）による制限付のアクセスも提供し得る。マクロセルのためのｅＮＢは、マクロｅＮＢと呼ばれ得る。スモールセルのためのｅＮＢは、スモールセルｅＮＢと呼ばれ得る。ｅＮＢは、１つまたは複数の（例えば、２つ、３つ、４つ、等の）セルをサポートし得る。
【００２９】
[0040]  コアネットワーク１３０は、１つまたは複数のバックホールリンク１３２（例えば、Ｓ１インターフェース、等）を介してｅＮＢまたは他のアクセスポイント１０５と通信し得る。アクセスポイント１０５はまた、例えば、バックホールリンク１３４（例えば、Ｘ２インターフェース、等）を介して、および／または（例えば、コアネットワーク１３０を通る）バックホールリンク１３２を介して、直接的または間接的に、互いに通信し得る。ワイヤレス通信システム１００は、同期動作または非同期動作をサポートし得る。同期動作の場合、アクセスポイント１０５が同様のフレームタイミングを有し得、異なるアクセスポイント１０５からの送信が時間においてほぼ整列され（approximately aligned）得る。非同期動作の場合、アクセスポイント１０５が異なるフレームタイミングを有し得、異なるアクセスポイント１０５からの送信が時間において整列されないことがあり得る。さらに、第１の階層レイヤおよび第２の階層レイヤにおける送信は、アクセスポイント１０５の間で同期されたり、同期されなかったりし得る。ここで説明される技法は、同期動作または非同期動作のどちらに対しても使用され得る。
【００３０】
[0041]  ＵＥ１１５は、ワイヤレス通信システム１００全体に分散しており、各ＵＥ１１５は、定置式または移動式であり得る。ＵＥ１１５は、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語でも呼ばれ得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、時計または眼鏡のようなウェアラブルアイテム、ワイヤレスローカルループ（ＷＬＬ）局、等であり得る。ＵＥ１１５は、マクロｅノードＢ、スモールセルｅノードＢ、リレー、等と通信することが可能であり得る。ＵＥ１１５はまた、セルラまたは他のＷＷＡＮアクセスネットワーク、あるいはＷＬＡＮアクセスネットワークのような異なるアクセスネットワークを通じて通信することが可能であり得る。
【００３１】
[0042]  ワイヤレス通信システム１００に示される通信リンク１２５は、ＵＥ１１５からアクセスポイント１０５へのアップリンク（ＵＬ）送信および／またはアクセスポイント１０５からＵＥ１１５へのダウンリンク（ＤＬ）送信を含み得る。ダウンリンク送信は順方向リンク送信とも呼ばれ得、アップリンク送信は逆方向送信とも呼ばれ得る。通信リンク１２５は、いくつかの例で、通信リンク１２５において多重化され得る各階層レイヤの送信を搬送し得る。ＵＥ１１５は、例えば、多入力多出力（ＭＩＭＯ）、キャリアアグリゲーション（ＣＡ：carrier aggregation）、多地点協調（ＣｏＭＰ：Coordinated Multi-Point）、または他のスキームを通して、複数のアクセスポイント１０５と協力して通信するように構成され得る。ＭＩＭＯ技法は、複数のデータストリームを送信するためにアクセスポイント１０５上の複数のアンテナおよび／またはＵＥ１１５上の複数のアンテナを使用する。キャリアアグリゲーションは、データ送信のために同じまたは異なるサービングセル上の２つ以上のコンポーネントキャリアを利用し得る。ＣｏＭＰは、複数のアクセスポイント１０５による送信および受信の調整のための技法を、ネットワークおよびスペクトル利用を増加することに加えて、ＵＥ１１５のための全体的な送信品質を改善するために含み得る。
【００３２】
[0043]  述べられたように、いくつかの例において、アクセスポイント１０５およびＵＥ１１５は、複数のキャリア上で送信するためのキャリアアグリゲーションを利用し得る。いくつかの例において、アクセスポイント１０５およびＵＥ１１５は、第１の階層レイヤにおいて、１つのフレーム内で、第１のサブフレームタイプを各々有する１つまたは複数のサブフレームを２つ以上の別個のキャリアを使用して同時に送信し得る。他の帯域幅が利用され得るが、各キャリアは例えば、２０ＭＨｚの帯域幅を有し得る。ハイブリッドＵＥ１１５−ａおよび／または第２のレイヤＵＥ１１５−ｂは、特定の例において、第２の階層レイヤにおいて１つまたは複数のサブフレームを、別個のキャリアのうちの１つまたは複数のキャリアの帯域幅より大きい帯域幅を有する単一キャリアを利用して受信および／または送信し得る。例えば、４つの別個の２０ＭＨｚキャリアがキャリアアグリゲーションスキームで第１の階層レイヤにおいて使用される場合、単一の８０ＭＨｚキャリアが第２の階層レイヤにおいて使用され得る。８０ＭＨｚキャリアは、４つの２０ＭＨｚキャリアのうちの１つまたは複数によって使用される無線周波数スペクトルに少なくとも部分的に重複する無線周波数スペクトルの一部分を占有し得る。いくつかの例では、第２の階層レイヤタイプのためのスケーラブルな帯域幅が、上で説明されるようなより短いＲＴＴを提供するために、さらに強化されたデータレートを提供する複合技法であり得る。
【００３３】
[0044]  ワイヤレス通信システム１００によって採用され得る異なる動作モードの各々は、周波数分割複信（ＦＤＤ）または時分割複信（ＴＤＤ）に従って動作し得る。いくつかの例では、異なる階層レイヤは、異なるＴＤＤまたはＦＤＤモードに従って動作し得る。例えば、第１の階層レイヤはＦＤＤに従って動作し得、第２の階層レイヤはＴＤＤに従って動作し得る。いくつかの例において、ＯＦＤＭＡ通信信号は、各階層レイヤについてのＬＴＥダウンリンク送信のための通信リンク１２５で使用され得、単一キャリア周波数分割多元接続（ＳＣ−ＦＤＭＡ）通信信号は、各階層レイヤにおけるＬＴＥアップリンク送信のための通信リンク１２５で使用され得る。ワイヤレス通信システム１００のようなシステムにおける階層レイヤの実施に関するさらなる詳細と、そのようなシステムにおける通信に関する他の特徴および機能とが、次に続く図を参照して以下に提供される。加えて、スケジューリング構成要素３０２は、アクセスポイント１０５からのＲＳを（例えば、ダウンリンクスケジューリンググラントを介して）受信するようにＵＥ１１５を構成でき、この構成に基づいてＲＳを送信できる。通信構成要素３６１は、同じくこの構成に基づいてＲＳを受信できる。
【００３４】
[0045]  図２は、ＬＴＥまたはＵＬＬ ＬＴＥネットワークアーキテクチャにおけるアクセスネットワーク２００の例を例示する図である。この例において、アクセスネットワーク２００は、多数のセルラ領域（セル）２０２に分割される。１つまたは複数のスモールセルｅＮＢ２０８が、これらセル２０２のうちの１つまたは複数と重複するセルラ領域２１０を有し得る。スモールセルｅＮＢ２０８は、フェムトセル（例えば、ホームｅＮＢ（ＨｅＮＢ））、ピコセル、マイクロセル、または遠隔無線ヘッド（ＲＲＨ）のような低電力クラスの１つまたは複数のセルを提供し得る。複数のマクロｅＮＢ２０４は各々それぞれのセル２０２に割り当てられ、コアネットワーク１３０へのアクセスポイントをこれらセル２０２中の全てのＵＥ２０６に提供するよう構成される。ある態様において、ｅＮＢ２０４および／または２０８は、ＵＬＬ通信技術を（例えば、制御／データチャネル通信のためおよび／またはＲＳを通信するために）使用してＵＥ２０６と通信するためにリソースを割り振るように構成されたスケジューリング構成要素３０２を含み得る。同様に、ＵＥ２０６のうちの１つまたは複数は、ＵＬＬ通信技術（例えば、ＵＬＬ ＬＴＥ）を使用して１つまたは複数のｅＮＢ２０４および／または２０８と通信するように構成された通信構成要素３６１を含み得、それゆえ制御／データ通信、ＲＳ、等を通信できる。集中型コントローラがこの例のアクセスネットワーク２００に存在しないが、集中型コントローラが代替の構成において使用され得る。ｅＮＢ２０４は、無線ベアラ制御、アドミッション制御、モビリティ制御、スケジューリング、セキュリティ、並びにコアネットワーク１３０の１つまたは複数の構成要素への接続性を含む、全ての無線関連機能を担う。
【００３５】
[0046]  アクセスネットワーク２００によって採用される変調および多元接続スキームは、展開されている特定の電気通信規格によって異なり得る。ＬＴＥまたはＵＬＬ ＬＴＥアプリケーションでは、周波数分割複信（ＦＤＤ）および時分割複信（ＴＤＤ）の両方をサポートするために、ＯＦＤＭがＤＬ上で使用され得、ＳＣ−ＦＤＭＡがＵＬ上で使用され得る。当業者が次に続く詳細な説明から容易に理解するように、ここで提示される様々な概念はＬＴＥアプリケーションに好適である。しかしながら、これら概念は、他の変調および多元接続技法を採用する他の電気通信規格に容易に拡張され得る。例として、これら概念は、進化データ最適化（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリの一部として、第３世代パートナーシッププロジェクト２（３ＧＰＰ２）によって公表されたエアインターフェース規格であり、モバイル局へのブロードバンドインターネットアクセスを提供するためにＣＤＭＡを採用する。これら概念はまた、広帯域ＣＤＭＡ（Ｗ−ＣＤＭＡ（登録商標））と、ＴＤ−ＳＣＤＭＡのようなＣＤＭＡの他の変形とを採用するユニバーサル地上無線アクセス（ＵＴＲＡ）、ＴＤＭＡを採用するモバイル通信のためのグローバルシステム（ＧＳＭ（登録商標））、並びにＯＦＤＭＡを採用する、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭに拡張され得る。ＵＴＲＡ、Ｅ−ＵＴＲＡ、ＵＭＴＳ、ＬＴＥ、およびＧＳＭは、３ＧＰＰ団体からの文書において説明されている。ＣＤＭＡ２０００およびＵＭＢは、３ＧＰＰ２団体からの文書において説明されている。採用される実際のワイヤレス通信規格および多元接続技術は、特定の用途とシステムに課せられる全体的な設計制約とに依存することになる。
【００３６】
[0047]  ｅＮＢ２０４は、ＭＩＭＯ技術をサポートする複数のアンテナを有し得る。ＭＩＭＯ技術の使用は、ｅＮＢ２０４が、空間多重化、ビームフォーミング、および送信ダイバーシティをサポートするために空間ドメインを活用することを可能にする。空間多重化は、異なるデータストリームを同じ周波数上で同時に送信するために使用され得る。データストリームは、データレートを増加させるために単一のＵＥ２０６に、または全体的なシステム容量を増加させるために複数のＵＥ２０６に送信され得る。これは、各データストリームを空間的にプリコーディングし（すなわち、振幅および位相のスケーリングを適用し）、次いで、空間的にプリコーディングされた各ストリームをＤＬ上で複数の送信アンテナを通して送信することによって達成される。空間的にプリコーディングされたデータストリームは、異なる空間シグネチャと共にＵＥ２０６に到達し、これはＵＥ２０６の各々がそのＵＥ２０６に宛てられた１つまたは複数のデータストリームを復元することを可能にする。ＵＬ上で、各ＵＥ２０６は空間的にプリコーディングされたデータストリームを送信し、これはｅＮＢ２０４が空間的にプリコーディングされた各データストリームのソースを識別することを可能にする。
【００３７】
[0048]  空間多重化は一般に、チャネル状態（channel condition）が良好なときに使用される。チャネル状態があまり良好でないときは、ビームフォーミングが送信エネルギーを１つまたは複数の方向に集中させるために使用され得る。これは、複数のアンテナを通した送信のためのデータを空間的にプリコーディングすることによって達成され得る。セルのエッジにおいて良好なカバレッジを達成するために、単一ストリームビームフォーミング送信が送信ダイバーシティとの組み合わせで使用され得る。
【００３８】
[0049]  次に続く詳細な説明では、アクセスネットワークの様々な態様がＤＬ上でＯＦＤＭをサポートするＭＩＭＯシステムに関連して説明されることになる。ＯＦＤＭは、ＯＦＤＭシンボル内の複数のサブキャリアにわたってデータを変調するスペクトル拡散技法である。これらサブキャリアは、正確な周波数で離間されている。この離間（spacing）は、受信機がこれらサブキャリアからのデータを復元することを可能にする「直交性」をもたらす。時間ドメインでは、ＯＦＤＭシンボル間干渉に対抗するために、各ＯＦＤＭシンボルにガードインターバル（例えば、サイクリックプリフィックス）が追加され得る。ＵＬは、高いピーク対平均電力比（ＰＡＰＲ：peak-to-average power ratio）を補償するために、ＤＦＴ拡散されたＯＦＤＭ信号の形でＳＣ−ＦＤＭＡを使用し得る。
【００３９】
[0050]  図３は、アクセスネットワークにおいて、ＵＥ３５０と通信状態にあるｅＮＢ３１０のブロック図である。ＤＬでは、コアネットワークからの上位レイヤパケットがコントローラ／プロセッサ３７５に供給される。コントローラ／プロセッサ３７５はＬ２レイヤの機能を実施する。ＤＬにおいて、コントローラ／プロセッサ３７５は、ヘッダ圧縮、暗号化、パケットセグメント化と並べ替え（reordering）、論理チャネルとトランスポートチャネルとの間の多重化、および様々な優先順位メトリックに基づいたＵＥ３５０への無線リソースの割り振りを提供する。コントローラ／プロセッサ３７５はまた、ＨＡＲＱ動作、損失パケットの再送、およびＵＥ３５０へのシグナリングを担う。
【００４０】
[0051]  送信（ＴＸ：transmit）プロセッサ３１６は、Ｌ１レイヤ（すなわち、物理レイヤ）のために様々な信号処理機能を実施する。信号処理機能は、ＵＥ３５０における前方誤り訂正（ＦＥＣ：forward error correction）を容易にするためにコーディングおよびインタリーブすることと、様々な変調スキーム（例えば、二相位相シフトキーイング（ＢＰＳＫ）、直交相位相シフトキーイング（ＱＰＳＫ）、Ｍ相位相シフトキーイング（Ｍ−ＰＳＫ）、Ｍ値直交振幅変調（Ｍ−ＱＡＭ））に基づいて信号コンステレーションにマッピングすることとを含む。次いで、コーディングおよび変調されたシンボルは、複数の並列ストリームに分割される。次いで、各ストリームは、ＯＦＤＭサブキャリアにマッピングされ、時間および／または周波数ドメインにおいて基準信号（例えば、パイロット信号）と多重化され、次いで、逆高速フーリエ変換（ＩＦＦＴ：Inverse Fast Fourier Transform）を使用して一緒に組み合わされて、時間ドメインＯＦＤＭシンボルストリームを搬送する物理チャネルを生成する。このＯＦＤＭストリームは空間的にプリコーディングされて、複数の空間ストリームを生成する。チャネル推定器３７４からのチャネル推定値は、コーディングおよび変調スキームを決定するため、並びに空間処理のために使用され得る。チャネル推定値は、基準信号および／またはＵＥ３５０によって送信されたチャネル状態フィードバックから導出され得る。次いで、各空間ストリームが、別個の送信機３１８ＴＸを介して異なるアンテナ３２０に供給される。各送信機３１８ＴＸは、送信のために、それぞれの空間ストリームでＲＦキャリアを変調する。加えて、ｅＮＢ３１０は、ＵＬＬ通信技術を使用したＵＥ３５０との通信のためのリソースを割り振るように構成されたスケジューリング構成要素３０２を含み得る。スケジューリング構成要素３０２は、コントローラ／プロセッサ３７５に結合されたものとして示されるが、いくつかの例において、実質上、ｅＮＢ３１０の任意のプロセッサが、（例えば、コントローラ／プロセッサ３７５、メモリ３７６、または他のものと共に）ここで説明されるスケジューリング構成要素３０２および／またはその関連する構成要素の機能を提供できる。例えば、ＴＸプロセッサ３１６および／またはＲＸプロセッサ３７０が、ここで説明されるように、スケジューリング構成要素３０２の１つまたは複数の機能を追加的または代替的に提供できる。
【００４１】
[0052]  ＵＥ３５０において、各受信機３５４ＲＸは、それのそれぞれのアンテナ３５２を通して信号を受信する。各受信機３５４ＲＸは、ＲＦキャリア上に変調された情報を復元し、この情報を受信（ＲＸ：receive）プロセッサ３５６に提供する。ＲＸプロセッサ３５６は、Ｌ１レイヤの様々な信号処理機能を実施する。ＲＸプロセッサ３５６は、ＵＥ３５０に宛てられた任意の空間ストリームを復元するために、その情報に対して空間処理を行う。複数の空間ストリームがＵＥ３５０に宛てられている場合、それらは、ＲＸプロセッサ３５６によって単一のＯＦＤＭシンボルストリームへと組み合わされ得る。次いで、ＲＸプロセッサ３５６は、高速フーリエ変換（ＦＦＴ）を使用して、ＯＦＤＭシンボルストリームを時間ドメインから周波数ドメインに変換する。周波数ドメイン信号は、ＯＦＤＭ信号のサブキャリアごとに別個のＯＦＤＭシンボルストリームを備える。各サブキャリア上のシンボルと基準信号とは、ｅＮＢ３１０によって送信された最も可能性の高い信号コンステレーションポイントを決定することによって復元および復調される。これらの軟判定（soft decisions）は、チャネル推定器３５８によって計算されたチャネル推定値に基づき得る。次いで、これら軟判定は、物理チャネル上でｅＮＢ３１０によって最初に送信されたデータおよび制御信号を復元するために復号およびデインタリーブされる。次いで、データおよび制御信号は、コントローラ／プロセッサ３５９に供給される。
【００４２】
[0053]  コントローラ／プロセッサ３５９はＬ２レイヤを実施する。コントローラ／プロセッサは、プログラムコードおよびデータを記憶するメモリ３６０に関連付けられることができる。メモリ３６０は、コンピュータ可読媒体と呼ばれ得る。ＵＬにおいて、コントローラ／プロセッサ３５９は、コアネットワークからの上位レイヤパケットを復元するために、トランスポートチャネルと論理チャネルとの間の逆多重化、パケットの再組立て、暗号解読（deciphering）、ヘッダ圧縮解除、制御信号処理を提供する。次いで、Ｌ２レイヤより上位の全てのプロトコルレイヤを表す上位レイヤパケットがデータシンク３６２に供給される。様々な制御信号もまた、Ｌ３処理のためにデータシンク３６２に供給され得る。コントローラ／プロセッサ３５９はまた、ＨＡＲＱ動作をサポートするために、肯定応答（ＡＣＫ：acknowledgement）および／または否定応答（ＮＡＣＫ：negative acknowledgement）プロトコルを使用した誤り検出を担う。加えて、通信構成要素３６１がＵＬＬ通信技術（例えば、ＵＬＬ ＬＴＥ）を使用して１つまたは複数のアクセスポイント１０５と通信するように構成した。通信構成要素３６１は、コントローラ／プロセッサ３５９に結合されたものとして示されるが、いくつかの例において、実質上、ＵＥ３５０の任意のプロセッサが（例えば、コントローラ／プロセッサ３５９、メモリ３６０、または他のものと共に）ここで説明する通信構成要素３６１および／またはその関連する構成要素の機能を提供できる。例えば、ＴＸプロセッサ３６８および／またはＲＸプロセッサ３５６が、ここで説明されるように、通信構成要素３６１の１つまたは複数の機能を追加的または代替的に供給できる。
【００４３】
[0054]  ＵＬにおいて、データソース３６７はコントローラ／プロセッサ３５９に上位レイヤパケットを供給するために使用される。データソース３６７は、Ｌ２レイヤより上位の全てのプロトコルレイヤを表す。ｅＮＢ３１０によるＤＬ送信に関して説明される機能と同様に、コントローラ／プロセッサ３５９は、ｅＮＢ３１０による無線リソース割り振りに基づいて、ヘッダ圧縮、暗号化、パケットセグメント化と並べ替え、および論理チャネルとトランスポートチャネルとの間の多重化を提供することによって、ユーザプレーンおよび制御プレーンのためのＬ２レイヤを実施する。コントローラ／プロセッサ３５９はまた、ＨＡＲＱ動作、損失パケットの再送、およびｅＮＢ３１０へのシグナリングを担う。
【００４４】
[0055]  ｅＮＢ３１０によって送信されたフィードバックまたは基準信号からチャネル推定器３５８によって導出されたチャネル推定値は、好適なコーディングおよび変調スキームを選択して空間処理を容易にするためにＴＸプロセッサ３６８によって使用され得る。ＴＸプロセッサ３６８によって生成された空間ストリームは、別個の送信機３５４ＴＸを介して異なるアンテナ３５２に供給される。各送信機３５４ＴＸは、送信のために、それぞれの空間ストリームでＲＦキャリアを変調する。
【００４５】
[0056]  ＵＬ送信は、ＵＥ３５０における受信機機能に関して説明されるものと同様の様式でｅＮＢ３１０において処理される。各受信機３１８ＲＸは、それのそれぞれのアンテナ３２０を通して信号を受信する。各受信機３１８ＲＸは、ＲＦキャリア上に変調された情報を復元し、この情報をＲＸプロセッサ３７０に提供する。ＲＸプロセッサ３７０は、Ｌ１レイヤを実施し得る。
【００４６】
[0057]  コントローラ／プロセッサ３７５は、Ｌ２レイヤを実施する。コントローラ／プロセッサ３７５は、プログラムコードおよびデータを記憶するメモリ３７６に関連付けられることができる。メモリ３７６は、コンピュータ可読媒体と呼ばれ得る。ＵＬにおいて、コントローラ／プロセッサ３７５は、ＵＥ３５０からの上位レイヤパケットを復元するために、トランスポートチャネルと論理チャネルとの間の逆多重化、パケットリアセンブリ、暗号解読、ヘッダ圧縮解除、制御信号処理を提供する。コントローラ／プロセッサ３７５からの上位レイヤパケットは、コアネットワークに供給され得る。コントローラ／プロセッサ３７５はまた、ＨＡＲＱ動作をサポートするために、ＡＣＫおよび／またはＮＡＣＫプロトコルを使用した誤り検出を担う。
【００４７】
[0058]  図４は、ワイヤレス通信システムにおいてＵＬＬ通信を管理するためのＵＬＬタイムライン４００、４０２の非限定的な例を例示する図であり、時間がこの図において左から右に進む。この例において、タイムライン４００、４０２は、サブフレームの各シンボル中にシンボル持続時間のＵＬＬフレームを含む。タイムライン４００、４０２は両方とも、ＵＬＬ物理ダウンリンク制御チャネル（ｕＰＤＣＣＨ：ULL physical downlink control channel）および／またはＵＬＬ物理ダウンリンク共有チャネル（ｕＰＤＳＣＨ：ULL physical downlink shared channel）のためのＴＴＩを表すシンボルと、ＵＬＬ物理アップリンク制御チャネル（ｕＰＵＣＣＨ：ULL physical uplink control channel）および／またはＵＬＬ物理アップリンク共有チャネル（ｕＰＵＳＣＨ：ULL physical uplink shared channel）を含むＴＴＩを表すシンボルとを図示する(depict)。タイムライン４００では、１４個のシンボルが所与のサブフレーム内に示され（例えば、通常ＣＰの場合）、タイムライン４０２では、１２個のシンボルが所与のサブフレーム内に示される（例えば、拡張ＣＰの場合）。いずれの場合にも、より低いレイテンシが、シンボルベースＴＴＩを利用することでＵＬＬにおいて達成される。他の例では、ＴＴＩが、２つ以上のシンボル、（１サブフレームが２つのスロットを含む場合の）サブフレームの１つのスロット、等、であり得る。加えて、ＨＡＲＱプロセス応答時間が、３つのシンボル（または、４つのシンボル、３つの二重シンボル（dual-symbol）、３つのスロット、等）であることができる。図示された例では、例えば、サブフレームにおいて、ｕＰＤＣＣＨ／ｕＰＤＳＣＨがシンボル０で送られると、ＨＡＲＱが処理されてシンボル４で送られる。さらに、ここで説明される態様に従って、例えば、所与のサブフレーム内のいくつかのシンボルがダウンリンク通信（例えば、ｕＰＤＣＣＨ／ｕＰＤＳＣＨ）に割り振られることができ、他のシンボルがアップリンク通信（例えば、ｕＰＵＣＣＨ／ｕＰＵＳＣＨ）に割り振られることができる。
【００４８】
[0059]  図５−１０を参照すると、複数の態様がここで説明されるアクションまたは機能を行い得る１つまたは複数の構成要素および１つまたは複数の方法に関連して図示される。ある態様において、ここで使用されるような「構成要素」という用語はシステムを構成するパーツのうちの１つであり得、ハードウェアまたはソフトウェアまたはそれらの何らかの組合せであり得、複数の他の構成要素に分割され得る。図６−１０において以下に説明される動作は、特定の順序でおよび／または例となる構成要素によって行われるものとして提示されるが、これらアクションの順序およびこれらアクションを行う構成要素が実施形態によって異なり得ることが理解されるべきである。さらに、以下のアクションまたは機能が、特別にプログラムされたプロセッサ、つまり特別にプログラムされたソフトウェアまたはコンピュータ可読媒体を実行するプロセッサによって、あるいは、説明されるアクションまたは機能を行う能力のあるソフトウェア構成要素および／またはハードウェア構成要素の任意の他の組合せによって、行われ得ることが理解されるべきである。
【００４９】
[0060]  図５は、ＵＬＬ技術においてＲＳ通信のためにリソースを構成するためのシステム５００の例を例示する。システム５００は、ワイヤレスネットワークにアクセスするためにｅＮＢ５０４と通信するＵＥ５０２を含み、これらの例は上で図１−３において説明される（例えば、アクセスポイント１０５、ｅＮＢ２０４、スモールセルｅＮＢ２０８、ｅＮＢ３１０、ＵＥ１１５、２０６、３５０、等）。ある態様において、ｅＮＢ５０４およびＵＥ５０２は、構成された通信リソース上で制御および／またはデータメッセージをｅＮＢ５０４からＵＥ５０２に（例えば、シグナリングにおいて）通信するために、ｅＮＢ５０４によって（例えば、トランシーバ５５６を介して）送信されてＵＥ５０２によって（例えば、トランシーバ５０６を介して）受信されることのできるダウンリンク信号５０９で通信するための１つまたは複数のダウンリンクチャネルを確立したものであり得る。さらに、例えば、ｅＮＢ５０４およびＵＥ５０２は、構成された通信リソース上で制御および／またはデータメッセージをＵＥ５０２からｅＮＢ５０４に（例えば、シグナリングにおいて）通信するために、ＵＥ５０２によって（例えば、トランシーバ５０６介して）送信されてｅＮＢ５０４によって（例えば、トランシーバ５５６を介して）受信されることのできるアップリンク信号５０８で通信するための１つまたは複数のアップリンクチャネルを確立したものであり得る。
【００５０】
[0061]  ここでさらに説明されるように、例えば、ｅＮＢ５０４は、ＵＥ５０２がｅＮＢ５０４とデータを通信する（例えば、送信または受信）ことになるリソースをインジケートできるスケジューリンググラント５８０（例えば、ＰＤＣＣＨまたはｕＰＤＣＣＨグラント）を通信し得、ここで、リソースは、説明されるように、ＵＬＬ通信技術に対応できる。例えば、ＵＬＬ通信技術に関連したリソースは、ＵＬＬタイムライン（例えば、図４におけるタイムライン４００、４０２のような、持続時間においてサブフレームより少ないＴＴＩを有するタイムライン）に関連できる。加えて、スケジューリンググラント５８０は、ＵＥ５０２とｅＮＢ５０４（または、他のｅＮＢ）との間でＲＳを通信するための構成をインジケートできる１つまたは複数のＲＳパラメータを含み得る。説明されるように、例えば、ＵＬＬにおけるＣＳＩ−ＲＳ、ＵＥ−ＲＳ、等は、少なくともレガシ通信技術（ＬＴＥのような）と比較して少なくとも時間（および／または周波数）において間引かれ得、ゆえに、スケジューリンググラント５８０は、ＵＥ５０２のためのＣＳＩ−ＲＳ、ＵＥ−ＲＳ、等がその間に送信されることになる時間（例えば、ＵＬＬ ＴＴＩ）（および／または、ＵＥ５０２のためのＣＳＩ−ＲＳ、ＵＥ−ＲＳ、等が送信されることになる周波数）をインジケートする１つまたは複数のＲＳパラメータを含み得る。
【００５１】
[0062]  ある態様において、ＵＥ５０２は、例えば、１つまたは複数のバス５０７によって、通信的に結合され得る１つまたは複数のプロセッサ５０３および／またはメモリ５０５を含み得るもので、１つまたは複数のスケジューリンググラントに基づいてＵＬＬ通信技術を使用して通信するための通信構成要素３６１と共に動作するか、そうでなればそれを実施し得る。例えば、通信構成要素３６１に関する様々な動作は、１つまたは複数のプロセッサ５０３によって実施されるか、そうでなければそれによって実行され得、そして、ある態様において、単一のプロセッサによって実行され得、他の態様において、それら動作のうちの異なるものが２つ以上の異なるプロセッサの組合せによって実行され得る。例えば、ある態様において、１つまたは複数のプロセッサ５０３は、トランシーバ５０６に関連するトランシーバプロセッサ、受信プロセッサ、送信プロセッサ、特定用途向け集積回路（ＡＳＩＣ）、デジタルシグナルプロセッサ、ベースバンドプロセッサ、またはモデムプロセッサのうちの任意の１つまたは任意の組合せを含み得る。さらに、例えば、メモリ５０５は、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的消去可能なＰＲＯＭ（ＥＥＰＲＯＭ）、磁気記憶デバイス（例えば、ハードディスク、フロッピーディスク、磁気ストリップ）、光ディスク（例えば、コンパクトディスク（ＣＤ）、デジタル多用途ディスク（ＤＶＤ））、スマートカード、フラッシュメモリデバイス（例えば、カード、スティック、キードライブ）、レジスタ、取り外し可能なディスク、およびコンピュータまたは１つまたは複数のプロセッサ５０３によってアクセスおよび読み取られ得るソフトウェアおよび／またはコンピュータ可読コードまたは命令を記憶するための任意の他の適切な媒体を含むがそれに限定されない非一時的なコンピュータ可読媒体であり得る。さらに、メモリ５０５またはコンピュータ可読記憶媒体は、１つまたは複数のプロセッサ５０３内に駐在するか、１つまたは複数のプロセッサ５０３の外にあるか、１つまたは複数のプロセッサ５０３を含む複数のエンティティにわたって分散される、などし得る。
【００５２】
[0063]  特に、１つまたは複数のプロセッサ５０３および／またはメモリ５０５は、通信構成要素３６１またはそのサブ構成要素によって定義されたアクションまたは動作を実行し得る。例えば、１つまたは複数のプロセッサ５０３および／またはメモリ５０５は、ｅＮＢからのスケジューリンググラントを受信するためのグラント受信構成要素５１０によって定義されたアクションまたは動作を実行し得、ここで、スケジューリンググラントは、１つまたは複数のＲＳを通信することに関する１つまたは複数のパラメータを含み得る。ある態様において、例えば、グラント受信構成要素５１０は、ここで説明される特別に構成されたグラント受信動作を行うために１つまたは複数のプロセッサ５０３のうちの少なくとも１つによって実行可能であってメモリ５０５に記憶されたコンピュータ可読コードまたは命令および／またはハードウェア（例えば、１つまたは複数のプロセッサ５０３の１つまたは複数のプロセッサモジュール）を含み得る。例えば、１つまたは複数のプロセッサ５０３および／またはメモリ５０５は、スケジューリンググラントにおいてインジケートされる情報に基づいて、（例えば、時間および／または周波数における）ＲＳロケーションを決定するためのＲＳリソース決定構成要素５１２によって定義されたアクションまたは動作を実行し得る。ある態様において、例えば、ＲＳリソース決定構成要素５１２は、ここで説明される特別に構成されたＲＳリソース決定動作を行うために１つまたは複数のプロセッサ５０３のうちの少なくとも１つによって実行可能であってメモリ５０５に記憶されたコンピュータ可読コードまたは命令および／またはハードウェア（例えば、１つまたは複数のプロセッサ５０３の１つまたは複数のプロセッサモジュール）を含み得る。
【００５３】
[0064]  例えば、１つまたは複数のプロセッサ５０３および／またはメモリ５０５は、ｅＮＢ５０４（および／または他のｅＮＢ）から受信された１つまたは複数のＣＳＩ−ＲＳに少なくとも部分的に基づいて、ＣＳＩフィードバックを報告するためのＣＳＩフィードバック構成要素５１４によって定義されたアクションまたは動作を随意に(optionally)実行し得る。ある態様において、例えば、ＣＳＩフィードバック構成要素５１４は、ここで説明される特別に構成されたＣＳＩフィードバック動作を行うために１つまたは複数のプロセッサ５０３のうちの少なくとも１つによって実行可能であってメモリ５０５に記憶されたコンピュータ可読コードまたは命令および／またはハードウェア（例えば、１つまたは複数のプロセッサ５０３の１つまたは複数のプロセッサモジュール）を含み得る。例えば、１つまたは複数のプロセッサ５０３および／またはメモリ５０５は、１つまたは複数の周りのｅＮＢからの干渉を、それの信号からの干渉（ノイズ）を決定することに基づいて検出するための干渉検出構成要素５１６によって定義されたアクションまたは動作を随意に実行し得る。ある態様において、例えば、干渉検出構成要素５１６は、ここで説明される特別に構成された干渉検出動作を行うために１つまたは複数のプロセッサ５０３のうちの少なくとも１つによって実行可能であってメモリ５０５に記憶されたコンピュータ可読コードまたは命令および／またはハードウェア（例えば、１つまたは複数のプロセッサ５０３の１つまたは複数のプロセッサモジュール）を含み得る。
【００５４】
[0065]  同様に、ある態様において、ｅＮＢ５０４は、例えば、１つまたは複数のバス５５７によって、通信的に結合され得る１つまたは複数のプロセッサ５５３および／またはメモリ５５５を含み得、ＵＬＬワイヤレス通信のために１つまたは複数のＵＥのためのスケジューリンググラントを生成するためにスケジューリング構成要素３０２と共に動作するか、そうでなればそれを実施し得る。例えば、スケジューリング構成要素３０２に関する様々な機能は、上で説明されるように、１つまたは複数のプロセッサ５５３によって実施されるか、そうでなければそれによって実行され得、そして、ある態様において、単一のプロセッサによって実行され得、他の態様において、それら機能のうちの異なるものが、２つ以上の異なるプロセッサの組合せによって実行され得る。一例において、１つまたは複数のプロセッサ５５３および／またはメモリ５５５は、ＵＥ５０２の１つまたは複数のプロセッサ５０３および／またはメモリ５０５に関して上の例で説明されるように構成され得る。
【００５５】
[0066]  ある例において、１つまたは複数のプロセッサ５５３および／またはメモリ５５５は、スケジューリング構成要素３０２またはそのサブ構成要素によって定義されたアクションまたは動作を実行し得る。例えば、１つまたは複数のプロセッサ５５３および／またはメモリ５５５は、ＲＳをＵＥと通信することに関する１つまたは複数のパラメータを含み得るＵＥのためのスケジューリンググラントを生成するためのグラント生成構成要素５２０によって定義されたアクションまたは動作を実行し得る。ある態様において、例えば、グラント生成構成要素５２０は、ここで説明される特別に構成されたグラント生成動作を行うために１つまたは複数のプロセッサ５５３のうちの少なくとも１つによって実行可能であってメモリ５５５に記憶されたコンピュータ可読コードまたは命令および／またはハードウェア（例えば、１つまたは複数のプロセッサ５５３の１つまたは複数のプロセッサモジュール）を含み得る。例えば、１つまたは複数のプロセッサ５５３および／またはメモリ５５５は、スケジューリンググラントにおいてインジケートされ得るＲＳを通信することに関する１つまたは複数のパラメータに基づいて、ＵＥとＲＳを送信するためのＲＳ送信構成要素５２２によって定義されたアクションまたは動作を実行し得る。ある態様において、例えば、ＲＳ送信構成要素５２２は、ここで説明される特別に構成されたＲＳ送信動作を行うために１つまたは複数のプロセッサ５５３のうちの少なくとも１つによって実行可能であってメモリ５５５に記憶されたコンピュータ可読コードまたは命令および／またはハードウェア（例えば、１つまたは複数のプロセッサ５５３の１つまたは複数のプロセッサモジュール）を含み得る。例えば、１つまたは複数のプロセッサ５５３および／またはメモリ５５５は、送信されたＲＳに基づいてＵＥからのＣＳＩフィードバックを受信するためのＣＳＩフィードバック受信構成要素５２４によって定義されたアクションまたは動作を随意に実行し得る。ある態様において、例えば、ＣＳＩフィードバック受信構成要素５２４は、ここで説明される特別に構成されたＣＳＩフィードバック動作を行うために１つまたは複数のプロセッサ５５３のうちの少なくとも１つによって実行可能であってメモリ５５５に記憶されたコンピュータ可読コードまたは命令および／またはハードウェア（例えば、１つまたは複数のプロセッサ５５３の１つまたは複数のプロセッサモジュール）を含み得る。
【００５６】
[0067]  例えば、トランシーバ５０６、５５６は、１つまたは複数のアンテナ５８４、５８６を通してワイヤレス信号を送信および受信するように構成され得、１つまたは複数のＲＦフロントエンド構成要素（例えば、電力増幅器、低ノイズ増幅器、フィルタ、アナログ／デジタルコンバータ、デジタル／アナログコンバータ、等）、１つまたは複数の送信機、１つまたは複数の受信機、等を使用して、これら信号を生成または処理し得る。ある態様において、トランシーバ５０６、５５６は、指定された周波数で動作するようにチューニングされ、ＵＥ５０２および／またはｅＮＢ５０４が特定の周波数で通信できるようにし得る。ある態様では、構成、通信プトロコル、等に基づき指定された周波数および電力レベルで動作してアップリンク信号５０８および／またはダウンリンク信号５０９をそれぞれ関連するアップリンクまたはダウンリンク通信チャネル上で通信するために、１つまたは複数のプロセッサ５０３がトランシーバ５０６を構成し得、および／または、１つまたは複数のプロセッサ５５３がトランシーバ５５６を構成し得る。
【００５７】
[0068]  ある態様において、トランシーバ５０６、５５６は、トランシーバ５０６、５５６を使用して送られ受信されるデジタルデータを処理するように（例えば、図示されないがマルチバンドマルチモードモデムを使用して）複数の帯域で動作できる。ある態様において、トランシーバ５０６、５５６はマルチバンドであって、特定の通信プロトコルのために複数の周波数帯域をサポートするように構成され得る。ある態様において、トランシーバ５０６、５５６は、複数の動作ネットワークおよび通信プロトコルをサポートするように構成され得る。ゆえに、例えば、トランシーバ５０６、５５６は、指定されたモデム構成に基づいた信号の送信および／または受信を可能にし得る。
【００５８】
[0069]  図６は、低レイテンシ通信技術において１つまたは複数のＲＳを（例えば、ＵＥによって）受信するための方法６００の例を例示する。ブロック６０２で、ＵＥは、１つまたは複数のＲＳの送信ロケーションに関する１つまたは複数のパラメータをインジケートするリソースの動的構成を受信し得る。ある態様において、グラント受信構成要素５１０は、例えば、プロセッサ５０３、メモリ５０５、および／またはトランシーバ５０６と共に、１つまたは複数のＲＳの送信ロケーションに関する１つまたは複数のパラメータをインジケートするリソースの動的構成を受信し得る。ある例において、グラント受信構成要素５１０はｅＮＢ５０４からのスケジューリンググラント５８０（例えば、ＰＤＣＣＨまたはｕＰＤＣＣＨスケジューリンググラント）において動的構成を受信し得、この動的構成は１つまたは複数のアップリンクおよび／またはダウンリンクチャネル上でＵＥ５０２がｅＮＢ５０４とそれ上で通信できるリソースを追加的にインジケートできるものである。ここでさらに説明されるように、１つまたは複数のパラメータは、時間におけるＲＳ送信ロケーション（例えば、１つまたは複数のＴＴＩ）および／または周波数におけるＲＳ送信ロケーション（例えば、ＯＦＤＭＡ／ＳＣ−ＦＤＭＡシンボルにわたって１つまたは複数のリソースエレメント（ＲＥ:resource elements）、リソースブロック（ＲＢ：resource blocks）、等）として１つまたは複数のＲＳの送信ロケーションをインジケートし得る。
【００５９】
[0070]  ゆえに、ブロック６０４で、ＵＥは、１つまたは複数のパラメータに少なくとも部分的に基づいて１つまたは複数のＲＳのためのＲＳリソースロケーションを決定し得る。ある態様において、ＲＳリソース決定構成要素５１２は、例えば、プロセッサ５０３および／またはメモリ５０５と共に、１つまたは複数のパラメータに少なくとも部分的に基づいて１つまたは複数のＲＳのためのＲＳリソースロケーションを決定し得る。例えば、ｅＮＢ５０４は、ＴＴＩあたりのＲＳオーバヘッドを制御するために、時間および／または周波数におけるＲＳ（例えば、ＣＳＩ−ＲＳおよび／またはＵＥ−ＲＳ）を動的にスケジューリングできる。ある例において、ｅＮＢ５０４は、特定のＵＥのためのＵＥ−ＲＳ送信をゲート制御して、ＵＥ−ＲＳを有するＴＴＩをスケジューリングするようにＵＥ固有のステージ１スケジューリンググラントを利用できる。別の例において、ｅＮＢ５０４は、ＣＳＩ−ＲＳ送信のためのアンテナポートの数を運ぶために共通のステージ１グラントを利用でき、ｅＮＢ５０４は、特定のＴＴＩ中にＣＳＩ−ＲＳを有するＴＴＩを動的にスケジューリングできる。
【００６０】
[0071]  ブロック６０６で、ＵＥは、ＲＳリソースロケーション上で１つまたは複数のＲＳを受信し得る。ある態様において、通信構成要素３６１は、例えば、プロセッサ５０３、メモリ５０５、および／またはトランシーバ５０６と共に、ＲＳロケーション上で１つまたは複数のＲＳを受信し得る。例えば、通信構成要素３６１は、ここで説明されるように、動的構成から決定されたＲＳリソースロケーションに基づいて、（例えば、１つまたは複数のＴＴＩおよび／または１つまたは複数のＲＥ、ＲＢ、等上で）ｅＮＢ５０４からのＣＳＩ−ＲＳおよび／またはＵＥ−ＲＳを受信し得る。
【００６１】
[0072]  一例において、ブロック６０４でＲＳリソースロケーションを決定する際に、ＵＥは、ブロック６０８で、動的構成においてインジケートされたプロセス番号に少なくとも部分的に基づいて、少なくとも、ＣＳＩ−ＲＳがその間に送信されるＴＴＩを随意に決定し得る。ある態様において、ＲＳリソース決定構成要素５１２は、例えば、プロセッサ５０３および／またはメモリ５０５と共に、動的構成においてインジケートされたプロセス番号に少なくとも部分的に基づいて、少なくとも、ＣＳＩ−ＲＳがその間に送信されるＴＴＩを決定し得る。例えば、スケジューリンググラント５８０において受信され得る動的構成は、プロセス番号に対応し得る１つまたは複数のパラメータを含み得る。プロセス番号は、ＣＳＩ−ＲＳまたは他のＲＳ構成を識別するために使用され得る。例えば、ｅＮＢ５０４は、例えば、所与のプロセス番号について、このプロセス番号に対応するＣＳＩ−ＲＳのための１つまたは複数のＴＴＩインデックス、ＲＳトーン、アンテナポート、等、を含み得る、プロセス番号についての構成情報をインジケートするために、上位レイヤシグナリング（higher layer signaling）（例えば、ＲＲＣシグナリング）を使用し得る。
【００６２】
[0073]  ゆえに、ＵＥは、ブロック６１０で、ＣＳＩ−ＲＳプロセス番号および／または関連するパラメータとしての構成をシグナリングにおいて随意に受信し得る。例えば、通信構成要素３６１は、例えば、プロセッサ５０３、メモリ５０５、および／またはトランシーバ５０６と共に、ｅＮＢ５０４からのシグナリング（例えば、ＲＲＣシグナリング）においてＣＳＩ−ＲＳプロセス番号および／またはパラメータ（例えば、ＴＴＩインデックス、ＲＳトーン、アンテナポート、等）を受信し得る。いずれにせよ、例えば、通信構成要素３６１は、それゆえ、各シンボルにおいてＣＳＩ−ＲＳを送信することと比較して、ＣＳＩ−ＲＳを送信するためのリソース使用を下げるように、（例えば、プロセス番号のための構成でインジケートされるような）プロセス番号に対応するＴＴＩの一部においてｅＮＢ５０４からのＣＳＩ−ＲＳを受信できる。加えて、スケジューリンググラントはまた、ＣＳＩ−ＲＳのために構成されたアンテナポートの数、これは、ＲＳリソースロケーションを決定する際にプロセス番号と一緒に（例えば、および／または、ＲＲＣ構成された情報にも基づき）使用され得る、をインジケートし得る。
[0074]  ＣＳＩ−ＲＳ送信を有するＴＴＩの例となる集合１１００が図１１に例示される。この例では、所与のＲＳトーンにおいて２つのアンテナポートについての連続する送信を有する２つのＴＴＩが示される。例えば、第１のＴＴＩでは、あるアンテナポート（例えば、ポート１５）のためのＣＳＩ−ＲＳ＋別のアンテナポート（例えば、ポート１６）のためのＣＳＩ−ＲＳが送信され得、第２のＴＴＩでは一方のポートのためのＣＳＩ−ＲＳ−他方のアンテナポートのためのＣＳＩ−ＲＳが送信され得る。さらに、この特定の例では、最大で８ポートのＣＳＩ−ＲＳ構成の場合、最大で４つのリソースエレメント（例えば、トーン）が、リソースブロックごとに消費される。いずれにせよ、この例に示されるように、スケジューリンググラントは、ＵＥ５０２に割り当てられたプロセス番号をインジケートし得、ここで、プロセス番号は、ＴＴＩ １１００において示される４つの構成のうちの１つを識別する。次いで、ＲＳリソース決定構成要素５１２は、プロセス番号に関連するＲＳトーン、ＴＴＩ、アンテナポート、等を（例えば、ＲＲＣシグナリングを通じて受信され得る構成に基づいて）決定でき、通信構成要素３６１は、それゆえ、対応するＴＴＩおよびＲＳリソースエレメント上で受信されるＣＳＩ−ＲＳを受信および処理できる。
【００６３】
[0075]  別の例において、ブロック６０４でＲＳリソースロケーションを決定する際に、ＵＥは、ブロック６１２で、動的構成中の１つまたは複数のパラメータに基づいて、少なくとも、ＵＥ−ＲＳを受信するためのＴＴＩを随意に決定できる。ある態様において、ＲＳリソース決定構成要素５１２は、例えば、プロセッサ５０３および／またはメモリ５０５と共に、動的構成中の１つまたは複数のパラメータに基づいて、少なくとも、ＵＥ−ＲＳを受信するためのＴＴＩを決定し得る。説明されるように、ｅＮＢ５０４は、ＵＥ−ＲＳを有するＴＴＩをスケジューリングするためにＵＥ固有のグラントを使用し得、ＲＳリソース決定構成要素５１２は、それゆえ、ＵＥ−ＲＳがｅＮＢ５０４によってその間に送信されることになるＴＴＩ（例えば、特定のサブフレーム内の特定のＴＴＩ、各サブフレーム内のＴＴＩ、等）を明確に識別し得るスケジューリンググラント５８０中の１つまたは複数のパラメータに基づいて、ＴＴＩを決定できる。通信構成要素３６１は、それゆえ、例えば、インジケートされたＴＴＩにおいてｅＮＢ５０４からのＵＥ−ＲＳを受信し得、ｅＮＢ５０４からの信号中のデータを復調する際にＵＥ−ＲＳを使用し得る。
【００６４】
[0076]  一例において、ブロック６０８でＣＳＩ−ＲＳがその間に送信されるＴＴＩを決定する際に、ＵＥは、ブロック６１２で、ＵＥ−ＲＳが送信されるべきであるかどうかを考慮し得る。ＵＥ−ＲＳがＴＴＩにおいて送信されるべきである場合、これは、ＣＳＩ−ＲＳも同じくＴＴＩにおいて送信されるかどうか、ＣＳＩ−ＲＳが送信されるＲＳトーン、および／または同様のものの決定に影響を及ぼし得る。ゆえに、ブロック６０４でＲＳリソースロケーションを決定する際、ＵＥは、ブロック６１４で、別のＲＳがＴＴＩにおいて受信されるかどうかに基づいて、このＴＴＩにおける少なくとも１つのＲＳのためのＲＳリソースロケーションを随意に決定し得る。ある態様において、ＲＳリソース決定構成要素５１２は、例えば、プロセッサ５０３および／またはメモリ５０５と共に、別のＲＳがＴＴＩにおいて受信されるかどうかに基づいて、このＴＴＩにおける少なくとも１つのＲＳのためのＲＳリソースロケーションを決定し得る。ゆえに、例えば、ＲＳリソース決定構成要素５１２は、ＵＥ−ＲＳが存在するかどうかに基づいて、ＣＳＩ−ＲＳのＲＳ周波数ロケーション（例えば、ＲＳ周波数トーン）を決定し得る（例えば、ＵＥ−ＲＳの存在は、リソースブロック内のより少ない数のトーンまたは異なって配置されたトーンに帰着し得る）。
【００６５】
[0077]  ブロック６１６で、ＵＥは、上位レイヤシグナリングまたは別の構成に少なくとも部分的に基づいて、１つまたは複数のＲＳのためのＲＳ周波数トーンを随意に決定し得る。ある態様において、ＲＳリソース決定構成要素５１２は、例えば、プロセッサ５０３、メモリ５０５、および／またはトランシーバ５０６と共に、１つまたは複数のＲＳのためのＲＳ周波数トーンを、説明されるように、ｅＮＢ５０４からの上位レイヤシグナリング（例えば、ＲＲＣシグナリング）または別の構成（例えば、ＵＥ５０２に記憶された）に少なくとも部分的に基づいて、決定し得る。例えば、ＲＲＣシグナリングは、プロセス番号に関するＲＳ周波数トーン（例えば、ＲＥ）、ＲＢ、等をインジケートし得、ここで、スケジューリンググラントは、ＵＥ５０２のためのＲＳに関するプロセス番号をインジケートできる。ゆえに、この例では、ＲＳリソース決定構成要素５１２は、ＲＲＣシグナリングされたまたは記憶された構成に基づいて、ＲＳ周波数トーンを決定できる。別の例において、動的構成、または（例えば、プロセス番号ごとに）ＲＲＣシグナリングされたまたは記憶された構成は、ＲＳを送信するために使用されるアンテナポートをインジケートし得、これは、ＲＳのための所与のＲＳ周波数トーンに対応し得る。ゆえに、例えば、ＲＳリソース決定構成要素５１２は、ＲＳのためにインジケートされたアンテナポートに基づいて、ＲＳ周波数トーンを決定できる。加えて、例えば、ＲＲＣシグナリングはまた、他のＲＳがＴＴＩに対して構成されるとき、ＲＳのためのＲＳリソースロケーションをインジケートし得る。
【００６６】
[0078]  ブロック６１８で、ＵＥは、１つまたは複数のＲＳに少なくとも部分的に基づいて、ＣＳＩフィードバックを随意に報告し得る。ある態様において、ＣＳＩフィードバック構成要素５１４は、例えば、プロセッサ５０３、メモリ５０５、および／またはトランシーバ５０６と共に、１つまたは複数のＲＳに少なくとも部分的に基づいて、ＣＳＩフィードバックを報告し得る。例えば、ＣＳＩフィードバック構成要素５１４は、図７で以下にさらに説明されるように、ＣＳＩ−ＲＳの受信からの固定のオフセット（例えば、ＣＳＩ−ＲＳから４つのＴＴＩ）、ＣＳＩ−ＲＳに対するＣＳＩフィードバックを報告するためのアップリンクスケジューリンググラントの受信からの固定のオフセットとして、動的なオフセット（例えば、動的構成において構成されるかそうでなければｅＮＢ５０４によって要求される）、等として、ＣＳＩフィードバックを報告するための１つまたは複数の後続のＴＴＩを決定し得る。一例において、ＵＥ５０２はまた、送るべきｕＰＵＳＣＨデータを有する場合に（または、いずれにせよ）、ｅＮＢ５０４は、通信構成要素３６１がＣＳＩフィードバックをｕＰＵＳＣＨデータとそれ上に多重化できるｕＰＵＳＣＨリソースをＵＥ５０２にグラントし得る。ＵＥがｕＰＵＳＣＨデータを有さない場合に（または、いずれにせよ）、例えば、ｅＮＢ５０４は、複数のＵＥのＣＳＩフィードバックをまとめてｕＰＵＳＣＨ上に多重化でき、この場合には、ＣＳＩフィードバック構成要素５１４が、上で説明されるように、ｕＰＵＳＣＨの構成されたまたは決定されたセグメント上でＣＳＩフィードバックを報告し得る。加えて、ＣＳＩフィードバック構成要素５１４は、ＣＳＩフィードバックに関するプロセス番号をインジケートし得、これにより、ｅＮＢ５０４は、このフィードバックを特定のＣＳＩ−ＲＳに一致(match)させることができる（例えば、および／または、ｅＮＢ５０４は、ＣＳＩフィードバックを報告するために使用された制御チャネルのセグメントを決定することに基づいて一致させることができる）。
【００６７】
[0079]  図７は、低レイテンシ通信技術において１つまたは複数のＲＳを（例えば、ＵＥによって）受信するための方法７００の例を例示する。図６の同様のブロック６０２、６０４、６０６で上で説明されるように（例えば、プロセッサ５０３、メモリ５０５、および／またはトランシーバ５０６と共に）、ブロック７０２で、ＵＥは、１つまたは複数のＲＳの送信ロケーションに関する１つまたは複数のパラメータをインジケートするリソースの動的構成を受信し得、ブロック７０４で、ＵＥは、１つまたは複数のパラメータに少なくとも部分的に基づいて、１つまたは複数のＲＳのためのＲＳリソースロケーションを決定し得、ブロック７０６で、ＵＥは、ＲＳリソースロケーション上で１つまたは複数のＲＳを受信できる。
【００６８】
[0080]  加えて、ある態様において、ＵＥは、ブロック７０８で、ＣＳＩフィードバックを通信するためのアップリンクスケジューリンググラントを随意に受信し得る。例えば、グラント受信構成要素５１０は、例えば、プロセッサ５０３、メモリ５０５、および／またはトランシーバ５０６と共に、ＣＳＩフィードバックを通信するためのアップリンクスケジューリンググラントを受信し得る。一例において、アップリンクスケジューリンググラントは、１つまたは複数の到来ＴＴＩ（例えば、アップリンクスケジューリンググラントが受信されたＴＴＩから固定数のＴＴＩ離れているＴＴＩ、現在のＴＴＩからのオフセットまたはインデックスによって同じくアップリンクスケジューリンググラントにおいてインジケートされるＴＴＩ、等）においてＣＳＩ−ＲＳに対するフィードバックを報告するための周波数リソースをインジケートし得る。加えて、ある例において、アップリンクスケジューリンググラントは、それに対するＣＳＩフィードバックがアップリンクリソース上で報告されることになるＣＳＩ−ＲＳに対応するプロセス番号をインジケートし得る。
【００６９】
[0081]  加えて、ＵＥは、ブロック７１０で、ＣＳＩフィードバックを送信するためのチャネルの１つまたは複数のセグメントを随意に決定し得る。例えば、ＣＳＩフィードバック構成要素５１４は、例えば、プロセッサ５０３、メモリ５０５、および／またはトランシーバ５０６と共に、ＣＳＩフィードバックを送信するためのチャネルの１つまたは複数のセグメントを決定し得る。一例において、アップリンクスケジューリンググラントは、１つまたは複数のＴＴＩにおいてＣＳＩフィードバックを送信するためのアップリンクチャネル上で１つまたは複数のセグメントをインジケートし得る。ゆえに、例えば、ＣＳＩフィードバック構成要素５１４は、アップリンクスケジューリンググラントに基づいて、１つまたは複数のセグメントを決定し得る。例えば、ｕＰＵＳＣＨは、ＣＳＩフィードバックを送信するためのある数のセグメントへとセグメント化され得る。図１１のＴＴＩの集合１１０２で１つの例が示され、ここで、ｕＰＵＳＣＨの各セグメントは、ＣＳＩ−ＲＳ送信に対応し得る。ある例において、ｅＮＢ５０４は、ＵＥ５０２がＣＳＩフィードバックを送信するためのアップリンクスケジューリンググラントにおけるｕＰＵＳＣＨのセグメントのインデックスをインジケートできる。ＣＳＩフィードバック構成要素５１４は、この例において、対応するＴＴＩにおいてＣＳＩフィードバックを送信するための１つまたは複数のセグメントのインデックスを決定できる。
【００７０】
[0082]  加えて、ＵＥは、ブロック７１２で、図６の同様のブロック６１８で上で説明されるように（例えば、プロセッサ５０３、メモリ５０５、および／またはトランシーバ５０６と共に）１つまたは複数のＲＥに少なくとも部分的に基づいてＣＳＩフィードバックを随意に報告し得る。この例においてフィードバックを報告することは、アップリンクスケジューリンググラントおよび／またはアップリンクスケジューリンググラントにおいてインジケートされた情報にさらに基づき得る。例えば、ＣＳＩフィードバック構成要素５１４は、例えば、プロセッサ５０３、メモリ５０５、および／またはトランシーバ５０６と共に、（例えば、プロセス番号によって）アップリンクスケジューリンググラントにおいてインジケートされたＣＳＩ−ＲＳに関するＣＳＩフィードバックを報告できる。ゆえに、例えば、ＣＳＩフィードバック構成要素５１４は、プロセス番号に対応するＣＳＩ−ＲＳ（例えば、説明されるように、プロセス番号に関する時間および／または周波数リソースにわたって受信されたＣＳＩ−ＲＳ）を決定でき、ＣＳＩ−ＲＳの１つまたは複数のメトリックを決定でき、アップリンクスケジューリンググラントに基づいてリソース上でｅＮＢ５０４にメトリック（例えば、ＣＱＩ）または関連する算出を報告できる。
【００７１】
[0083]  例えば、ＣＳＩフィードバック構成要素５１４は、アップリンクスケジューリンググラントが受信されたＴＴＩから固定の数または（例えば、アップリンクスケジューリンググラントまたは動的構成においてインジケートされる）動的な数のＴＴＩ離れている１つまたは複数のＴＴＩに対応するｕＰＵＳＣＨリソースにおいてＣＳＩフィードバックを報告し得る。別の例において、ＣＳＩフィードバック構成要素５１４は、例えば、プロセッサ５０３、メモリ５０５、および／またはトランシーバ５０６と共に、アップリンクスケジューリンググラントに対応するリソースにおいて送るためにＵＥ５０２が有し得るｕＰＵＳＣＨデータとＣＳＩフィードバックを多重化することでＣＳＩフィードバックを報告でき、多重化されたフィードバックおよびデータを１つまたは複数のＴＴＩにおいてｕＰＵＳＣＨリソース上で送信し得る。さらに別の例（例えば、ＵＥ５０２が、送るべきｕＰＵＳＣＨデータを有さない）において、ＣＳＩフィードバック構成要素５１４は、対応するＴＴＩにおいてｕＰＵＳＣＨの１つまたは複数のセグメントにおいてＣＳＩフィードバックを（例えば、図１１のＴＴＩ １１０２における例となる構成において示されるように、１つまたは複数のＴＴＩにおける１つまたは複数のセグメントへの既知のまたは構成されたアソシエーション、および、アップリンクスケジューリンググラントにおいてインジケートされたインデックスに基づいて）報告できる。
【００７２】
[0084]  ある例において、ブロック７１４で、ＵＥは、動的構成または異なる構成に少なくとも部分的に基づいて、ＣＳＩ−ＩＭがイネーブルにされると随意に決定し得る。ある態様において、干渉検出構成要素５１６は、例えば、プロセッサ５０３および／またはメモリ５０５と共に、動的構成または異なる構成に少なくとも部分的に基づいて、ＣＳＩ−ＩＭがイネーブルにされると決定し得る。ゆえに、例えば、動的構成（例えば、ｅＮＢ５０４からのスケジューリンググラントにおいて受信される）中の１つまたは複数のパラメータは、ＣＳＩ−ＩＭがイネーブルにされるかどうかを含み得る。別の例において、異なる構成は、ＣＳＩ−ＩＭのための別個の動的構成に関し得、これは、スケジューリンググラントにおいてまたは他の方法でｅＮＢ５０４から受信され得る。ゆえに、干渉検出構成要素５１６は、そのように決定し得、どのＲＳ周波数トーンがＣＳＩ−ＩＭリソースロケーションに対応するかを決定し得、これは、１つまたは複数の所与のＴＴＩにおいて他のｅＮＢによって使用される（そして、ｅＮＢ５０４からの干渉なしに他のｅＮＢによるＣＳＩ−ＲＳの送信を可能にするためにｅＮＢ５０４によってヌルトーンでパンクチャされる）。いずれにせよ、ＣＳＩ−ＩＭリソースロケーションの周波数パターン／間隔は、上位レイヤシグナリング（例えば、ＲＲＣシグナリング）によって構成され得、ゆえに、通信構成要素３６１は、ＣＳＩ−ＩＭがイネーブルにされることを干渉検出構成要素５１６が検出することに基づいて上位レイヤシグナリングから１つまたは複数のＴＴＩにおけるＣＳＩ−ＩＭリソースロケーションの構成を決定できる。
【００７３】
[0085]  加えて、例えば、ブロック７１６で、ＵＥは、ＣＳＩ−ＩＭリソースロケーションにわたって干渉レベルを随意に測定するか、ＣＳＩ−ＩＭリソースロケーションの周りでデータチャネルのためのレートマッチングを行い得る。ある態様では、干渉検出構成要素５１６が、例えば、プロセッサ５０３、メモリ５０５、および／またはトランシーバ５０６と共に、ＣＳＩ−ＩＭリソースロケーションにわたって干渉レベルを測定し得るか、通信構成要素３６１が、例えば、プロセッサ５０３、メモリ５０５、および／またはトランシーバ５０６と共に、ＣＳＩ−ＩＭリソースロケーションの周りでデータチャネルのためのレートマッチングを行い得る。
【００７４】
[0086]  図８は、低レイテンシ通信技術において１つまたは複数のＲＳを（例えば、ＵＥによって）受信するための方法８００の例を例示する。ブロック８０２で、ＵＥは、セル固有基準信号（ＣＲＳ）に基づいてチャネル特性を測定し得、ブロック８０４で、ＵＥは、チャネル特性を報告し得る。ある態様において、通信構成要素３６１は、例えば、プロセッサ５０３、メモリ５０５、および／またはトランシーバ５０６と共に、ｅＮＢ５０４から受信されたＣＲＳに基づいてチャネル特性を測定し得、チャネル特性を（例えば、ｅＮＢ５０４に）報告し得る。例えば、通信構成要素３６１は、（例えば、アンテナポート０−３を使用して）ＣＲＳから連続的にチャネル特性を検知し得、このチャネル特性をｅＮＢ５０４に報告できる。ここでさらに説明されるように、これは、ｅＮＢ５０４が、報告された特性に基づいて、対応するＣＳＩ−ＲＳアンテナポートのためにＣＳＩ−ＲＳ送信を構成するためのＲＳトーンを選択することを可能にできる。
【００７５】
[0087]  ゆえに、方法８００において、ＵＥはまた、上の図６の同様のブロック６０２、６０４、６０６、６１８で説明されるように（例えば、プロセッサ５０３、メモリ５０５、および／またはトランシーバ５０６と共に）、ブロック８０６で、チャネル特性に基づいて１つまたは複数のＲＳの送信ロケーションに関するリソースの動的構成を受信でき、ブロック８０８で、１つまたは複数のパラメータに少なくとも部分的に基づいて、１つまたは複数のＲＳのためのＲＳリソースロケーションを決定し得、ブロック８１０で、ＲＳリソースロケーション上で１つまたは複数のＲＳを受信し得、ブロック８１２で、１つまたは複数のＲＳに少なくとも部分的に基づいてＣＳＩフィードバックを随意に報告する。ある例において、ブロック８０６で受信されたリソースの動的構成は、報告されたチャネル特性に基づき得、ブロック８０８でＲＳリソースロケーションを決定することは、動的構成においてインジケートされたＲＳ周波数トーンに基づき得る。
【００７６】
[0088]  例えば、ブロック６０４でＲＳリソースロケーションを決定する際に、ＵＥは、ブロック８１４で、動的構成に少なくとも部分的に基づいて、ＣＳＩ−ＲＳが送信されるＲＳ周波数トーンを随意に決定し得る。ある態様において、ＲＳリソース決定構成要素５１２は、例えば、プロセッサ５０３および／またはメモリ５０５と共に、動的構成に少なくとも部分的に基づいて、ＣＳＩ−ＲＳが送信されるＲＳ周波数トーンを決定し得る。例えば、動的構成は、ＲＳ周波数トーン、および／または、ＣＳＩ−ＲＳに関する（報告されたチャネル特性に基づくことができる）周期性、アンテナポート、等、のような、ＲＳ周波数トーンが決定され得る基となる情報をインジケートし得る。
【００７７】
[0089]  同様に、例えば、ブロック６０４でＲＳリソースロケーションを決定する際に、ＵＥは、ブロック８１６で、動的構成に少なくとも部分的に基づいて、ＵＥ−ＲＳが送信されるＲＳ周波数トーンを随意に決定し得る。ある態様において、ＲＳリソース決定構成要素５１２は、例えば、プロセッサ５０３および／またはメモリ５０５と共に、動的構成に少なくとも部分的に基づいて、ＵＥ−ＲＳが送信されるＲＳ周波数トーンを決定し得る。例えば、動的構成は、ＲＳ周波数トーン、および／または、ＵＥ−ＲＳに関する（報告されたチャネル特性に基づくことができる）周期性、アンテナポート、等、のような、ＲＳ周波数トーンが決定され得る基となる情報をインジケートし得る。
【００７８】
[0090]  このように、例えば、通信構成要素３６１は、１つまたは複数の対応するＴＴＩにおいて動的構成においてインジケートされたかまたはそれから決定されたＲＳ周波数トーン上でＣＳＩ−ＲＳおよび／またはＵＥ−ＲＳを受信できる。ＵＥ−ＲＳおよびＣＳＩ−ＲＳのための（例えば、ＲＳトーンの）例となる周波数割振りが図１２に示されており、ここで、２つのＴＴＩ上で、例となる割振り１２００は、ＬＴＥと比較してＵＥ−ＲＳオーバヘッドの１／３低減を有し、例となる割振り１２０２は、ＬＴＥと比較してＵＥ−ＲＳオーバヘッドの２／３低減を有し、例となる割振り１２０４は、ＬＴＥと比較してＣＳＩ−ＲＳオーバヘッドの１／２低減を有し、例となる割振り１２０６は、２より多くのアンテナポート構成に対して２ｘ ＣＳＩ−ＲＳ容量を有する。例えば、チャネルコヒーレンスが高くなるほど、ＵＥ復調および／またはＣＳＩフィードバックの報告に必要なＲＳは少なくなる。ｅＮＢ５０４は、それゆえ、１つまたは複数のＲＳのためのＲＳ周波数トーンの割振りを選択でき、動的構成においてＲＳ周波数トーン（および／または、対応するアンテナポート、周期性、等）をＵＥ５０２にインジケートし得、これは、上で説明されるように、ＲＳ周波数トーンを決定し、それゆえ、ＲＳを受信できる。
【００７９】
[0091]  図９は、低レイテンシ通信技術において１つまたは複数のＲＳを（例えば、ｅＮＢによって）送信するための方法９００の例を例示する。ブロック９０２で、ｅＮＢは、１つまたは複数のＲＳを送信することに関する１つまたは複数のパラメータをインジケートするリソースの動的構成を生成し得る。ある態様において、グラント生成構成要素５２０は、例えば、プロセッサ５５３、メモリ５５５、および／またはトランシーバ５５６と共に、１つまたは複数のＲＳを送信することに関する１つまたは複数のパラメータをインジケートするリソースの動的構成を生成し得る。ある例において、説明されるように、グラント生成構成要素５２０は、ＵＥ５０２がｅＮＢ５０４からの／への通信を受信または送信できるリソースをインジケートする特定のＵＥ５０２のためのスケジューリンググラント５８０（例えば、ＰＤＣＣＨまたはｕＰＤＣＣＨスケジューリンググラント）を生成し得、また、ＲＳ送信のための動的構成をインジケートし得る。動的構成は、いつおよび／またはどの周波数トーンでｅＮＢ５０４が特定のＲＳをＵＥ５０２に送信することになるかをインジケートする１つまたは複数のＲＳ送信ロケーションをインジケートし得、これは、どのリソースがＲＳ送信に使用されるかに対する制御をｅＮＢ５０４に与えることができ、ゆえに、ｅＮＢ５０４は、各ＴＴＩにおいてＲＳ送信（例えば、ＣＳＩ−ＲＳ、ＵＥ−ＲＥ、等）に周波数スペクトルをオーバーロードすることを回避し得る。
【００８０】
[0092]  一例において、ブロック９０２で動的構成を生成する際、ｅＮＢは、ブロック９０４で、動的構成において、ＣＳＩ−ＲＳ送信に対応するプロセス番号を随意にインジケートし得る。ある態様において、グラント生成構成要素５２０は、例えば、プロセッサ５５３、メモリ５５５、および／またはトランシーバ５５６と共に、ＣＳＩ−ＲＳ送信（または、他のＲＳ送信）に対応するプロセス番号を、（例えば、スケジューリンググラント５８０中にあり得る）動的構成において、インジケートし得る。例えば、プロセス番号は、ＲＳ構成に対応し得、これは、ＵＥ５０２への上位レイヤシグナリング（例えば、ＲＲＣシグナリング）によって少なくとも部分的に構成され得る。
【００８１】
[0093]  ゆえに、ある例において、ｅＮＢ５０４は、ブロック９０６で、ＣＳＩ−ＲＳプロセス番号および／または関連するパラメータを随意にシグナリングし得る。例えば、スケジューリング構成要素３０２は、例えば、プロセッサ５５３、メモリ５５５、および／またはトランシーバ５５６と共に、（構成において）ＣＳＩ−ＲＳプロセス番号および／または関連するパラメータを１つまたは複数のＵＥにシグナリングできる。例えば、ＲＳ構成は、説明されるように、ＲＳ（例えば、ＣＳＩ−ＲＳ）を送信するためのＴＴＩ（例えば、ＴＴＩインデックス）、１つまたは複数のＲＳトーン、１つまたは複数のアンテナポート、等をインジケートし得る。いずれにせよ、このように、グラント生成構成要素５２０は、スケジューリンググラントに対応するＴＴＩにおいて送信されるＣＳＩ−ＲＳを、このＴＴＩにおいて送信される構成されたＣＳＩ−ＲＳの関連するプロセス番号をインジケートすることで、インジケートし得る。
【００８２】
[0094]  ブロック９０８で、ｅＮＢは、ＴＴＩにおいてＵＥ−ＲＳが送信されるかどうかを、動的構成において、随意にインジケートし得る。ある態様において、グラント生成構成要素５２０は、例えば、プロセッサ５５３、メモリ５５５、および／またはトランシーバ５５６と共に、ＴＴＩにおいてＵＥ−ＲＳが送信されるかどうかを、（例えば、スケジューリンググラント５８０中にあり得る）動的構成において、インジケートし得る。説明されるように、例えば、ｅＮＢ５０４は、ＵＥ−ＲＳが１つまたは複数のＴＴＩにおいて送信されるかどうかをインジケートでき、それゆえ、スケジューリンググラントを受信するＵＥ５０２は、ＵＥ−ＲＳが所与のＴＴＩにおいて受信されるかどうかを決定することもできる。
【００８３】
[0095]  ブロック９１０で、ｅＮＢは、ＣＳＩ−ＲＳまたはＵＥ−ＲＳのためのＲＳ周波数トーンを、動的構成において、随意にインジケートし得る。ある態様において、グラント生成構成要素５２０は、例えば、プロセッサ５５３、メモリ５５５、および／またはトランシーバ５５６と共に、ＣＳＩ−ＲＳまたはＵＥ−ＲＳのためのＲＳ周波数トーンを、（例えば、スケジューリンググラント５８０中にあり得る）動的構成において、インジケートし得る。例えば、グラント生成構成要素５２０は、ＣＲＳ送信に基づいて、報告されたチャネル特性に基づいて、ＲＳ周波数トーン（例えば、ＴＴＩ内のトーンの周波数密度）を決定し得る。
【００８４】
[0096]  一例において、ｅＮＢは、ブロック９１２で、ＣＲＳ送信に基づいて、報告されたチャネル特性を随意に受信し得る。ある態様において、スケジューリング構成要素３０２は、例えば、プロセッサ５５３、メモリ５５５、および／またはトランシーバ５５６と共に、ＵＥ５０２からのＣＲＳ送信に基づいて、報告されたチャネル特性を受信し得る。例えば、ｅＮＢ５０４は、複数のアンテナポート（例えば、ＬＴＥにおけるアンテナポート０−３）上でＣＲＳを送信し得る。ＵＥ５０２は、説明されるように、ＣＲＳを測定し、チャネル特性（例えば、ＣＲＳポートに対応するチャネルコヒーレンス帯域幅の推定値）を報告できる。このように、グラント生成構成要素５２０は、チャネルコヒーレンス帯域幅の推定値に少なくとも部分的に基づいて１つまたは複数のＲＳについての周期性密度を決定し得る。例えば、グラント生成構成要素５２０は、より高い報告されるコヒーレンス帯域幅に対して、１つまたは複数のＲＳトーンについて、より低い許容可能な周波数周期性を決定し得る。特定の例において、ｅＮＢ５０４は、ＲＳトーン周期性を対応する推定されたチャネルコヒーレンス帯域幅のしきい値に関連付ける構成を記憶し得、グラント生成構成要素５２０は、それゆえ、推定されたチャネルコヒーレンス帯域幅をしきい値と比較することに基づいて、ＲＳについての周期性を決定できる。
【００８５】
[0097]  いずれにせよ、例えば、ブロック９０２で動的構成を生成することは、このように、報告されたチャネル特性に基づき得る。例えば、スケジューリング構成要素３０２は、アンテナポート０−３を使用してＣＲＳを、アンテナポート７−１４を使用してＵＥ−ＲＳを、およびアンテナポート１５−２２を使用してＣＳＩ−ＲＳを送信できる。アンテナポートおよび関連するＲＳ送信は、準コロケートされ得る（quasi co-located）（例えば、ドップラシフト、ドップラ拡散、平均遅延、および遅延拡散に関して同様のチャネル特性を有すると仮定される）。説明されるように、ＵＥ５０２は、ＣＲＳポート０−３からチャネルコヒーレンス帯域幅を周期的に推定し、ｅＮＢ５０４に報告できる。次いで、グラント生成構成要素５２０は、例えば、各ＲＳを送信するためのＲＳトーンを決定する際に、ＲＳトーンの許容可能な周期性にチャネルコヒーレンスをマッピングできる（例えば、これは、ＲＳトーンの許容可能な周期性に関する１つまたは複数のしきい値とチャネルコヒーレンスを比較することに基づき得る）。例えば、グラント生成構成要素５２０は、周期性をインジケートするための動的構成、ＲＳが送信されるＲＳ周波数トーンのうちの１つまたは複数のＲＳ周波数トーンのインデックス、等を生成できる。加えて、例えば、この情報は、上位レイヤ（例えば、ＲＲＣ）シグナリングにおいてインジケートされ得る。さらに、グラント生成構成要素５２０は、ＣＳＩ−ＲＳを受信するためにＵＥ５０２に割り当てるのがどのプロセス番号であるかを決定し得、ここで、プロセス番号は、ＣＳＩ−ＲＳ送信、等に使用される種々の（varying numbers of）ＲＳトーン、周期性、等に対応し得る。報告されたチャネルコヒーレンスに基づいてＲＳトーンを選択することは、例えば、高いコヒーレンスのチャネルに対するＵＥ−ＲＳオーバヘッドを低減し得、これは、ＵＥ−ＲＳが、レガシ通信技術（例えば、ＬＴＥ）で使用される様々なＲＳ周波数トーンにおいて送信される場合よりも低いトータルＲＳオーバヘッドレベルを維持しつつ、同じＴＴＩにおけるＣＳＩ−ＲＳ送信を可能にできる。別の例において、これは、複数のＣＳＩ−ＲＳ構成が同じＴＴＩ内で多重化されることを容易にし得、より高いパラレラリズムとより低いＣＳＩフィードバックレイテンシとを可能にする。
【００８６】
[0098]  説明されるように、ＵＥ−ＲＳおよびＣＳＩ−ＲＳのための（例えば、ＲＳトーンの）例となる周波数割振りが図１２に示されており、ここで、２つのＴＴＩ上で、例となる割振り１２００は、ＬＴＥと比較してＵＥ−ＲＳオーバヘッドの１／３低減を有し、例となる割振り１２０２は、ＬＴＥと比較してＵＥ−ＲＳオーバヘッドの２／３低減を有し、例となる割振り１２０４は、ＬＴＥと比較してＣＳＩ−ＲＳオーバヘッドの１／２低減を有し、例となる割振り１２０６は、２より多くのポート構成に対して２ｘ ＣＳＩ−ＲＳ容量を有する。例えば、チャネルコヒーレンスが高くなるほど、ＵＥ復調および／またはＣＳＩフィードバックの報告に必要なＲＳは少なくなる。一例では、ＵＥ−ＲＳ送信が、（例えば、ＴＴＩ １２００、１２０２において）報告されたＣＲＳ測定値に基づいて低減される場合、他の場合に（例えば、ＬＴＥで）ＵＥ−ＲＳが送信されていたであろうフリーリソースが、ＣＳＩ−ＲＳを送信するために使用され得る。
【００８７】
[0099]  また、ブロック９１４で、ｅＮＢは、ＴＴＩについてＣＳＩ−ＩＭがイネーブルにされるかどうかを、動的構成において、随意にインジケートし得る。ある態様において、グラント生成構成要素５２０は、例えば、プロセッサ５５３、メモリ５５５、および／またはトランシーバ５５６と共に、ＴＴＩについてＣＳＩ−ＩＭがイネーブルにされるかどうかを、（例えば、スケジューリンググラント５８０中にあり得る）動的構成において、インジケートし得る。ｅＮＢ５０４は、ＣＳＩ−ＩＭをイネーブルにし得、それゆえ、（パンクチャされたトーンとも呼ばれる）ヌル電力ＣＳＩ−ＲＳトーンを、ＣＳＩ−ＩＭがイネーブルにされるＴＴＩにおいて送信し得る。説明されるように、ヌル電力ＣＳＩ−ＲＳトーンは、ＣＳＩ−ＲＳを送信するために、隣接したｅＮＢによって使用されるトーンに対応し得る。これは、説明されるように、ＵＥ５０２が、これらＴＴＩにおける他のｅＮＢからの干渉を決定すること、これらＴＴＩの周りでレートマッチングすること、等を可能にできる。ヌル電力トーンの構成は、別個の構成（例えば、上位レイヤ構成、スケジューリンググラントにおいてインジケートされた異なる動的構成、またはＵＥへの他の通信、等であり得る）においてインジケートされ得る。
【００８８】
[00100]  ブロック９１６で、ｅＮＢは、動的構成をＵＥに送信し得る。ある態様において、スケジューリング構成要素３０２は、例えば、プロセッサ５５３、メモリ５５５、および／またはトランシーバ５５６と共に、動的構成をＵＥ５０２に送信し得る。例えば、スケジューリング構成要素３０２は、ｅＮＢ５０４と（例えば、ｕＰＤＳＣＨ、ｕＰＵＣＣＨ、ｕＰＵＳＣＨ、等の上で）通信するために、スケジューリングリソースのためのスケジューリンググラント５８０（例えば、ｕＰＤＣＣＨ上で送られるグラント）において、動的構成をＵＥ５０２に送信し得る。
【００８９】
[00101]  ブロック９１８で、ｅＮＢは、１つまたは複数のパラメータに基づいて、ＲＳリソース上で１つまたは複数のＲＳを送信し得る。ある態様において、ＲＳ送信構成要素５２２は、例えば、プロセッサ５５３、メモリ５５５、および／またはトランシーバ５５６と共に、（例えば、スケジューリンググラント５８０中の）動的構成において指定された１つまたは複数のパラメータに基づいて、ＲＳリソース上で１つまたは複数のＲＳを送信し得る。例えば、ＲＳ送信構成要素５２２は、動的構成においてインジケートされたＴＴＩにおいてＵＥ−ＲＳを送信し得、インジケートされたプロセス番号に関連付けられているかそうでなければ動的構成においてインジケートされたＲＳ周波数トーンを使用しておよび／またはＴＴＩにおいてＣＳＩ−ＲＳを送信し得る。１つの特定の例において、１つまたは複数のＴＴＩにおけるＣＳＩ−ＲＳ送信は、特定のＴＴＩ中の図１１におけるＴＴＩの集合１１００、（例えば、報告されたＣＲＳ測定値に基づいた）図１２のＴＴＩの集合１２０４または１２０６、等に対応し得る。加えて、ある例において、１つまたは複数のＴＴＩにおけるＵＥ−ＲＳ送信は、（例えば、報告されたＣＲＳ測定値に基づいた）図１２におけるＴＴＩの集合１２００、１２０２に対応し得る。
【００９０】
[00102]  ブロック９２０で、ｅＮＢは、ＣＳＩフィードバックを通信するためのアップリンクスケジューリンググラントをＵＥに随意に送信し得る。ある態様において、スケジューリング構成要素３０２は、例えば、プロセッサ５５３、メモリ５５５、および／またはトランシーバ５５６と共に、ＣＳＩフィードバックと通信するためのアップリンクスケジューリンググラントをＵＥ５０２に送信できる。例えば、スケジューリング構成要素３０２は、フィードバックが要求される対象のＣＳＩをインジケートするためにアップリンクスケジューリンググラントを生成できる。一例において、スケジューリング構成要素３０２は、ＵＥ５０２が（例えば、ｕＰＵＳＣＨ上で）データを送信することを可能にするためにアップリンクスケジューリンググラントを生成でき、ＵＥ５０２は、チャネル上で送信するためにＣＳＩフィードバックをデータと多重化できる。ある例において、ｅＮＢ５０４は、複数のＵＥがＣＳＩフィードバックをチャネル上で多重化することを容易にするために、チャネル（例えば、ｕＰＵＳＣＨ）をセグメント化できる。
【００９１】
[00103]  このように、ブロック９２２で、ＵＥは、ＣＳＩフィードバックを報告するためのチャネルセグメントのインデックスを、アップリンクスケジューリンググラントにおいて、随意にインジケートし得る。ある態様において、スケジューリング構成要素３０２は、例えば、プロセッサ５５３、メモリ５５５、および／またはトランシーバ５５６と共に、ＣＳＩフィードバックを報告するためのチャネルセグメントのインデックスを、アップリンクスケジューリンググラントにおいて、インジケートできる。上で説明されるように、インデックスは、図１１のＴＴＩの集合１１０２において示されるように、チャネルのセグメント化された周波数帯域（例えば、ある数のＲＥ、ＲＢ、等）に関し得、ここで、各セグメントは、ＣＳＩ−ＲＳ送信に対するフィードバックに対応し得る（例えば、第１のＴＴＩおよび／または第２のＴＴＩのためのインデックス０−３）。アップリンクスケジューリンググラントにおいてインデックスをインジケートすることで、ＵＥ５０２は、（例えば、対応するＣＳＩ−ＲＳ送信からの固定のまたは設定されたオフセットであるＴＴＩにおいて）セグメントを使用して、関連するＣＳＩ−ＲＳに対するＣＳＩフィードバックを報告できる。ゆえに、異なるインデックスでＵＥを構成することは、ｅＮＢ５０４が、ＴＴＩにおいて複数のＵＥからのＣＳＩフィードバックを多重化することを可能にする。一例において、ｅＮＢ５０４は、（例えば、ＵＥ５０２から受信されたバッファステータス報告に基づいて）ＵＥ５０２も送るべきｕＰＵＳＣＨデータを有するか否かに少なくとも部分的に基づいて、スケジューリンググラントにおいてインデックスをインジケートすると決定できる。
【００９２】
[00104]  ブロック９２４で、ｅＮＢは、１つまたは複数のＲＳに少なくとも部分的に基づいて、ＣＳＩフィードバックを随意に受信し得る。ある態様において、ＣＳＩフィードバック受信構成要素５２４は、例えば、プロセッサ５５３、メモリ５５５、および／またはトランシーバ５５６と共に、１つまたは複数のＲＳに少なくとも部分的に基づいて、ＣＳＩフィードバックを受信し得る。説明されるように、例えば、ＣＳＩフィードバック受信構成要素５２４は、制御チャネルのセグメントにおいてＵＥ５０２からのＣＳＩフィードバックを受信し得、ここで、セグメントは、アップリンクスケジューリンググラントにおいて（例えば、セグメントインデックスとして）インジケートされる。このように、ｅＮＢ５０４はまた、制御チャネル上で多重化された他のＣＳＩフィードバックをＵＥから受信し得る。さらに、例えば、ＣＳＩフィードバック受信構成要素５２４は、アップリンクスケジューリンググラントが送信されたＴＴＩから固定の数または（例えば、アップリンクスケジューリンググラントまたは他のシグナリングにおいて）動的に構成された数のＴＴＩ離れているＴＴＩにおいてＣＳＩフィードバックを受信し得る。
【００９３】
[00105]  図１０は、ＵＬＬでダウンリンク制御チャネルがダウンリンクチャネル領域に埋め込まれていることに基づいて、隣接したｅＮＢから干渉を推定するための方法１０００の例を例示する。ある例において、これは、ＣＳＩ−ＩＭを使用することの代替として行われ得る。ブロック１００２で、ＵＥは、ダウンリンクデータチャネル領域に埋め込まれているダウンリンク制御チャネルを含む２シンボルＴＴＩ（two symbol TTI）を受信し得る。ある態様において、通信構成要素３６１は、例えば、プロセッサ５０３、メモリ５０５、および／またはトランシーバ５０６と共に、ｅＮＢ５０４から、ダウンリンクデータチャネル領域（例えば、ｕＰＤＳＣＨ）に埋め込まれているダウンリンク制御チャネル（例えば、ｕＰＤＣＣＨ）を含む２シンボルＴＴＩを受信し得る。例えば、ＵＬＬ ＴＴＩにおいて、ｕＰＤＣＣＨは、ＴＴＩ内の１つまたは複数のＲＥにおいてｕＰＤＳＣＨと同じＴＴＩに埋め込まれることができる。ｕＰＤＣＣＨのためのＲＥは、それらの間にｕＰＤＳＣＨ ＲＥがあり、隣接していないであろう。加えて、ｕＰＤＣＣＨのためのＲＥは、２シンボルＴＴＩの両方のシンボルにおいて同じであることができる。
【００９４】
[00106]  ブロック１００４で、ＵＥは、２つのシンボルの両方にわたって同じＲＳ周波数トーンに割り当てられた制御チャネルのＲＥを復号し得る。ある態様において、通信構成要素３６１は、例えば、プロセッサ５０３、メモリ５０５、および／またはトランシーバ５０６と共に、２つのシンボルの両方にわたって同じＲＳ周波数トーンに割り当てられた制御チャネルのＲＥを復号し得る。この例において、通信構成要素３６１は、ＴＴＩ内に、埋め込まれている制御信号を復調および／または復号することを行える。
【００９５】
[00107]  ブロック１００６で、ＵＥは、制御チャネルの復号されたリソースエレメントから干渉レベルを随意に推定し得る。ある態様において、干渉検出構成要素５１６は、例えば、プロセッサ５０３、メモリ５０５、および／またはトランシーバ５０６と共に、ＴＴＩ内に制御チャネルの復号されたリソースエレメントから干渉レベルを決定し得る。これは、上述されたＣＳＩ−ＩＭでヌルＲＳトーンを使用することの代替であり得、ゆえに、ＣＳＩ−ＩＭオーバヘッドが回避され得る。
【００９６】
[00108]  例えば、ブロック１００６で干渉レベルを推定する際、ＵＥは、ブロック１００８で、ＲＳ周波数トーンごとに、復号されたＲＥから共役（conjugate）を取り除き、復号されたＲＥを差し引いて、ＲＳ周波数トーンにおける干渉レベルを取得することを随意にし得る。ある態様において、干渉検出構成要素５１６は、例えば、プロセッサ５０３、メモリ５０５、および／またはトランシーバ５０６と共に、ＲＳ周波数トーンごとに、（例えば、ＲＥのチャネル推定値を取得することに基づいて）復号されたＲＥから共役を取り除き、復号されたＲＥを差し引いて、ＲＳ周波数トーンにおける干渉レベルを取得し得る。特定の例では、連続するＴＴＩにおいて同じ周波数トーンに割り当てられたＣ１およびＣ２ｕＰＤＣＣＨリソースエレメントを前提として、ｕＰＤＣＣＨが、
【００９７】
【数１】
2019509666.tif 000003
【００９８】
を公式化するために復号され得る。次いで、干渉検出構成要素５１６は、共役、乗算、減算、および平方を適用して、ＲＳ周波数トーンごとに２ＴＴＩノイズ推定を行う（form）ことができる：
【００９９】
【数２】
2019509666.tif 000004
。
【０１００】
ある例において、干渉検出構成要素５１６は、追加的に、制御信号の再変調を行って、制御データリソースエレメント（例えば、Ｃ１およびＣ２）を取り除くことができ、そして、チャネル推定値を差し引くことを行って、干渉レベルを取得できる。ブロック１００６で干渉レベルを推定するために、ＵＥは、ブロック１０１０で、ＲＳ周波数トーンにわたって干渉を合計して、トータルの干渉を推定することを随意にし得る。
【０１０１】
[00109]  開示されたプロセスにおけるステップの特定の順序または階層は、例示的なアプローチの例示であることが理解される。設計の選好に基づいて、プロセスにおけるステップの特定の順序または階層が再配置され得ることは理解される。さらに、いくつかのステップは、組み合わされることまたは省略されることがあり得る。添付の方法の請求項は、様々なステップの要素をサンプルの順序で提示するものであり、提示された特定の順序または階層に限定されるようには意図されない。
【０１０２】
[00110]  先の説明は、任意の当業者がここで説明される様々な態様を実施することを可能にするために提供される。これら態様への様々な修正は、当業者には容易に明らかとなり、ここに定義された包括的な原理は、他の態様に適用され得る。ゆえに、特許請求の範囲は、ここに示された態様に限定されることを意図されるのでなく、特許請求の範囲の文言と合致する全範囲が与えられるべきであり、ここにおいて、単数形の要素への参照は、別途明記されていない限り、「１つおよび１つのみ」を意味することを意図されるのでなく、「１つまたは複数」を意味することを意図される。別途明記されていない限り、「いくつかの／何らかの」という用語は、１つまたは複数を指す。当業者に知られているまたは後に知られることになる、ここで説明される様々な態様の要素に対する全ての構造的および機能的な均等物は、参照によってここに明確に組み込まれ、特許請求の範囲によって包含されることを意図される。さらに、ここで開示されたものはいずれも、そのような開示が特許請求の範囲に明記されるかどうかにかかわらず、公衆に捧げられることを意図されない。いずれの請求項の要素も、その要素が「〜のための手段（means for）」という表現を使用して明記されていない限り、ミーンズプラスファンクションとして解釈されるべきでない。
【図１】
2019509666.tif 000005
【図２】
2019509666.tif 000006
【図３】
2019509666.tif 000007
【図４】
2019509666.tif 000008
【図５】
2019509666.tif 000009
【図６】
2019509666.tif 000010
【図７】
2019509666.tif 000011
【図８】
2019509666.tif 000012
【図９】
2019509666.tif 000013
【図１０】
2019509666.tif 000014
【図１１】
2019509666.tif 000015
【図１２】
2019509666.tif 000016
【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
ワイヤレス通信において基準信号（ＲＳ）リソースの構成を決定するための方法であって、
アクセスポイントからリソースのスケジューリンググラントを受信することと、ここにおいて、前記スケジューリンググラントは、１つまたは複数のＲＳの送信ロケーションに関する１つまたは複数のパラメータをインジケートし、前記スケジューリンググラントは、チャネル状態情報（ＣＳＩ）−ＲＳ送信に対応するプロセス番号をインジケートする、
前記１つまたは複数のパラメータに少なくとも部分的に基づいて、前記１つまたは複数のＲＳのためのＲＳリソースロケーションを決定することと、ここにおいて、前記ＲＳリソースロケーションを決定することは、前記プロセス番号に少なくとも部分的に基づいて、少なくとも、前記アクセスポイントによって前記ＣＳＩ−ＲＳが送信される送信時間間隔（ＴＴＩ）を決定することを含み、
前記ＲＳリソースロケーション上で前記１つまたは複数のＲＳを受信することと、ここにおいて、前記１つまたは複数のＲＳを受信することは、前記アクセスポイントから前記ＴＴＩ中に前記ＣＳＩ−ＲＳを受信することを含む、
を備える方法。
【請求項２】
前記ＣＳＩ−ＲＳの１つまたは複数の測定値を生成することと、
前記ＣＳＩに対するＣＳＩフィードバックを報告するためのアップリンクスケジューリンググラントを受信することと、
前記アップリンクスケジューリンググラントに基づいて、後続のＴＴＩにおいて前記１つまたは複数の測定値を前記ＣＳＩフィードバックとして前記アクセスポイントに報告することと
をさらに備える、請求項１に記載の方法。
【請求項３】
前記１つまたは複数の測定値を報告することは、前記アップリンクスケジューリンググラントに対応するチャネル上で送信するために、前記１つまたは複数の測定値をデータと多重化することを含む、請求項２に記載の方法。
【請求項４】
前記１つまたは複数の測定値を報告することは、前記アップリンクスケジューリンググラントに対応するチャネルのセグメント上で前記１つまたは複数の測定値を送信することを含む、請求項２に記載の方法。
【請求項５】
前記アップリンクスケジューリンググラントは、前記セグメントのインデックスをインジケートする、請求項４に記載の方法。
【請求項６】
前記プロセス番号に対応するアンテナポートの数を決定することをさらに備え、前記ＣＳＩ−ＲＳは、前記数のアンテナポート上で受信される、請求項１に記載の方法。
【請求項７】
前記アンテナポートの数に対応する、周波数における１つまたは複数のＲＳトーンを決定することをさらに備え、前記ＣＳＩ−ＲＳは、前記１つまたは複数のＲＳトーン上で受信される、請求項６に記載の方法。
【請求項８】
前記１つまたは複数のＲＳトーンを決定することは、前記ＴＴＩにおいてユーザ機器（ＵＥ）−ＲＳが送信されるかどうかに少なくとも部分的に基づく、請求項７に記載の方法。
【請求項９】
前記スケジューリンググラントは、ユーザ機器（ＵＥ）−ＲＳが送信時間間隔（ＴＴＩ）において受信されることになるかどうかをさらにインジケートし、前記ＲＳリソースロケーションを決定することは、少なくとも、前記ＵＥ−ＲＳを受信するための送信時間間隔（ＴＴＩ）を決定することを含み、前記１つまたは複数のＲＳを受信することは、前記アクセスポイントから前記ＴＴＩ中に前記ＵＥ−ＲＳを受信することを含む、請求項１に記載の方法。
【請求項１０】
少なくとも前記ＴＴＩを決定することは、前記スケジューリンググラントにおいて指定された前記１つまたは複数のパラメータに少なくとも部分的に基づく、請求項９に記載の方法。
【請求項１１】
前記アクセスポイントから前記ＴＴＩにおいてチャネル状態情報（ＣＳＩ）−ＲＳを受信することをさらに備える、請求項９に記載の方法。
【請求項１２】
セル固有基準信号（ＣＲＳ）測定値を前記アクセスポイントに報告することをさらに備え、前記１つまたは複数のパラメータは、前記ＣＲＳ測定値に基づく前記１つまたは複数のＲＳのためのＲＳ周波数トーンをインジケートする、請求項１に記載の方法。
【請求項１３】
前記スケジューリンググラントは、送信時間間隔（ＴＴＩ）の間チャネル状態情報（ＣＳＩ）−干渉管理（ＩＭ）がイネーブルにされるかどうかをさらにインジケートし、前記方法は、構成されたＣＳＩ−ＩＭリソースロケーションに基づいて干渉測定またはレートマッチングを行うことをさらに備える、請求項１に記載の方法。
【請求項１４】
無線リソース制御（ＲＲＣ）構成において前記ＴＴＩ内に前記構成されたＣＳＩ−ＩＭリソースロケーションのインジケーションを受信することに基づいて、前記構成されたＣＳＩ−ＩＭリソースロケーションを決定することをさらに備える、請求項１３に記載の方法。
【請求項１５】
複数の送信時間間隔（ＴＴＩ）内に制御信号を復調および復号すること、制御データを取り除くために前記制御信号を再変調することに基づいて前記複数のＴＴＩの各々ごとにチャネル推定値を取得すること、および前記チャネル推定値を差し引くことに少なくとも部分的に基づいて、前記複数のＴＴＩにわたって１つまたは複数のアクセスポイントからの干渉レベルを決定することをさらに備える、請求項１に記載の方法。
【請求項１６】
ワイヤレス通信において基準信号（ＲＳ）を送信するためのリソースの構成を指定するための方法であって、
ユーザ機器（ＵＥ）と通信するためのリソースのスケジューリンググラントを生成することと、ここにおいて、前記スケジューリンググラントは、１つまたは複数のＲＳを送信することに関する１つまたは複数のパラメータをインジケートし、前記スケジューリンググラントは、チャネル状態情報（ＣＳＩ）−ＲＳ送信に対応するプロセス番号をインジケートする、
前記スケジューリンググラントを前記ＵＥに送信することと、
前記１つまたは複数のパラメータに少なくとも部分的に基づいて、ＲＳリソース上で前記１つまたは複数のＲＳを送信することと、ここにおいて、前記１つまたは複数のＲＳを送信することは、前記プロセス番号に対応する送信時間間隔（ＴＴＩ）中に前記ＣＳＩ−ＲＳを送信することを含む、
を備える方法。
【請求項１７】
ＣＳＩフィードバックを送信するためのアップリンクスケジューリンググラントを前記ＵＥに送信することをさらに備える、請求項１６に記載の方法。
【請求項１８】
前記アップリンクスケジューリンググラントに基づいて、後続のＴＴＩにおいて前記ＵＥから前記ＣＳＩ−ＲＳに対応するＣＳＩフィードバックを受信することをさらに備える、請求項１７に記載の方法。
【請求項１９】
前記ＣＳＩフィードバックを受信することは、前記アップリンクスケジューリンググラントに対応するチャネル上で、データと多重化された前記ＣＳＩフィードバックを受信することを含む、請求項１８に記載の方法。
【請求項２０】
前記アップリンクスケジューリンググラントは、前記チャネルのセグメントのインデックスをインジケートし、ここで、他のセグメントは、他のＵＥに割り当てられ、前記ＣＳＩフィードバックを受信することは、前記チャネルの前記セグメントにおいて前記ＣＳＩフィードバックを受信することを含む、請求項１８に記載の方法。
【請求項２１】
前記ＣＳＩ−ＲＳを送信することは、前記プロセス番号に対応するある数のアンテナポート上で前記ＣＳＩ−ＲＳを送信することを含む、請求項１６に記載の方法。
【請求項２２】
無線リソース制御（ＲＲＣ）シグナリング）を使用して、複数のプロセス番号および関連するパラメータを前記ＵＥにシグナリングすることをさらに備え、ここにおいて、前記ＣＳＩ−ＲＳを送信することは、前記プロセス番号に関する前記関連するパラメータに基づく、請求項２１に記載の方法。
【請求項２３】
前記ＣＳＩ−ＲＳを送信することは、前記アンテナポートの数に対応する、周波数におけるチャネル上で前記ＣＳＩ−ＲＳを送信することを含む、請求項２１に記載の方法。
【請求項２４】
前記ＴＴＩにおいてユーザ機器（ＵＥ）−ＲＳを前記ＵＥに送信することをさらに備える、請求項１６に記載の方法。
【請求項２５】
セル固有基準信号（ＣＲＳ）送信に対応する前記ＵＥからのチャネルコヒーレンス帯域幅の推定値を受信することと、
前記チャネルコヒーレンス帯域幅の前記推定値に少なくとも部分的に基づいて、前記１つまたは複数のＲＳのための周波数トーンの数を決定することと、ここにおいて、前記１つまたは複数のＲＳを送信することは、前記周波数トーンの数に基づく、
をさらに備える、請求項１６に記載の方法。
【請求項２６】
前記スケジューリンググラントは、送信時間間隔（ＴＴＩ）の間チャネル状態情報（ＣＳＩ）−干渉管理（ＩＭ）がイネーブルにされるかどうかをインジケートする、請求項１６に記載の方法。
【請求項２７】
ワイヤレス通信のための装置であって、
１つまたは複数のアンテナを介して１つまたは複数のワイヤレス信号を通信するためのトランシーバと、
命令を記憶するように構成されたメモリと、
前記トランシーバおよび前記メモリと通信的に結合された１つまたは複数のプロセッサ
を備え、前記トランシーバは、
アクセスポイントからリソースのスケジューリンググラントを受信するように構成され、ここにおいて、前記スケジューリンググラントは、１つまたは複数の基準信号（ＲＳ）の送信ロケーションに関する１つまたは複数のパラメータをインジケートし、前記スケジューリンググラントは、チャネル状態情報（ＣＳＩ）−ＲＳ送信に対応するプロセス番号をインジケートし、
前記１つまたは複数のプロセッサは、
前記１つまたは複数のパラメータに少なくとも部分的に基づいて、前記１つまたは複数のＲＳのためのＲＳリソースロケーションを決定するように構成され、ここにおいて、前記１つまたは複数のプロセッサは、前記プロセス番号に少なくとも部分的に基づいて、少なくとも、前記アクセスポイントによって前記ＣＳＩ−ＲＳが送信される送信時間間隔（ＴＴＩ）を決定するようにさらに構成され、
前記トランシーバは、
前記ＲＳリソースロケーション上で前記１つまたは複数のＲＳを受信するようにさらに構成され、ここにおいて、前記トランシーバは、前記アクセスポイントから前記ＴＴＩ中に前記ＣＳＩ−ＲＳを受信するようにさらに構成される、
装置。
【請求項２８】
ワイヤレス通信のための装置であって、
１つまたは複数のアンテナを介して１つまたは複数のワイヤレス信号を通信するためのトランシーバと、
命令を記憶するように構成されたメモリと、
前記トランシーバおよび前記メモリと通信的に結合された１つまたは複数のプロセッサと
を備え、前記１つまたは複数のプロセッサは、
ユーザ機器（ＵＥ）と通信するためのリソースのスケジューリンググラントを生成するように構成され、ここにおいて、前記スケジューリンググラントは、１つまたは複数の基準信号（ＲＳ）を送信することに関する１つまたは複数のパラメータをインジケートし、前記スケジューリンググラントは、チャネル状態情報（ＣＳＩ）−ＲＳ送信に対応するプロセス番号をインジケートし、
前記トランシーバは、
前記スケジューリンググラントを前記ＵＥに送信することと、
前記１つまたは複数のパラメータに少なくとも部分的に基づいて、ＲＳリソース上で前記１つまたは複数のＲＳを送信することと、ここにおいて、前記ＣＳＩ−ＲＳは、送信時間間隔（ＴＴＩ）中に送信される、
を行うように構成される、装置。
【手続補正２】
【補正対象書類名】明細書
【補正対象項目名】０１０２
【補正方法】変更
【補正の内容】
【０１０２】
[00110]  先の説明は、任意の当業者がここで説明される様々な態様を実施することを可能にするために提供される。これら態様への様々な修正は、当業者には容易に明らかとなり、ここに定義された包括的な原理は、他の態様に適用され得る。ゆえに、特許請求の範囲は、ここに示された態様に限定されることを意図されるのでなく、特許請求の範囲の文言と合致する全範囲が与えられるべきであり、ここにおいて、単数形の要素への参照は、別途明記されていない限り、「１つおよび１つのみ」を意味することを意図されるのでなく、「１つまたは複数」を意味することを意図される。別途明記されていない限り、「いくつかの／何らかの」という用語は、１つまたは複数を指す。当業者に知られているまたは後に知られることになる、ここで説明される様々な態様の要素に対する全ての構造的および機能的な均等物は、参照によってここに明確に組み込まれ、特許請求の範囲によって包含されることを意図される。さらに、ここで開示されたものはいずれも、そのような開示が特許請求の範囲に明記されるかどうかにかかわらず、公衆に捧げられることを意図されない。いずれの請求項の要素も、その要素が「〜のための手段（means for）」という表現を使用して明記されていない限り、ミーンズプラスファンクションとして解釈されるべきでない。
以下に本願発明の当初の特許請求の範囲に記載された発明を付記する。
［Ｃ１］
ワイヤレス通信において基準信号（ＲＳ）リソースの構成を決定するための方法であって、
アクセスポイントからリソースのスケジューリンググラントを受信することと、ここにおいて、前記スケジューリンググラントは、１つまたは複数のＲＳの送信ロケーションに関する１つまたは複数のパラメータをインジケートする、
前記１つまたは複数のパラメータに少なくとも部分的に基づいて、前記１つまたは複数のＲＳのためのＲＳリソースロケーションを決定することと、
前記ＲＳリソースロケーション上で前記１つまたは複数のＲＳを受信することと
を備える方法。
［Ｃ２］
前記スケジューリンググラントは、チャネル状態情報（ＣＳＩ）−ＲＳ送信に対応するプロセス番号をインジケートし、前記ＲＳリソースロケーションを決定することは、前記プロセス番号に少なくとも部分的に基づいて、少なくとも、前記アクセスポイントによって前記ＣＳＩ−ＲＳが送信される送信時間間隔（ＴＴＩ）を決定することを含み、前記１つまたは複数のＲＳを受信することは、前記アクセスポイントから前記ＴＴＩ中に前記ＣＳＩ−ＲＳを受信することを含む、Ｃ１に記載の方法。
［Ｃ３］
前記ＣＳＩ−ＲＳの１つまたは複数の測定値を生成することと、
前記ＣＳＩに対するＣＳＩフィードバックを報告するためのアップリンクスケジューリンググラントを受信することと、
前記アップリンクスケジューリンググラントに基づいて、後続のＴＴＩにおいて前記１つまたは複数の測定値を前記ＣＳＩフィードバックとして前記アクセスポイントに報告することと
をさらに備える、Ｃ２に記載の方法。
［Ｃ４］
前記１つまたは複数の測定値を報告することは、前記アップリンクスケジューリンググラントに対応するチャネル上で送信するために、前記１つまたは複数の測定値をデータと多重化することを含む、Ｃ３に記載の方法。
［Ｃ５］
前記１つまたは複数の測定値を報告することは、前記アップリンクスケジューリンググラントに対応するチャネルのセグメント上で前記１つまたは複数の測定値を送信することを含む、Ｃ３に記載の方法。
［Ｃ６］
前記アップリンクスケジューリンググラントは、前記セグメントのインデックスをインジケートする、Ｃ５に記載の方法。
［Ｃ７］
前記プロセス番号に対応するアンテナポートの数を決定することをさらに備え、前記ＣＳＩ−ＲＳは、前記数のアンテナポート上で受信される、Ｃ２に記載の方法。
［Ｃ８］
前記アンテナポートの数に対応する、周波数における１つまたは複数のＲＳトーンを決定することをさらに備え、前記ＣＳＩ−ＲＳは、前記１つまたは複数のＲＳトーン上で受信される、Ｃ７に記載の方法。
［Ｃ９］
前記１つまたは複数のＲＳトーンを決定することは、前記ＴＴＩにおいてユーザ機器（ＵＥ）−ＲＳが送信されるかどうかに少なくとも部分的に基づく、Ｃ８に記載の方法。
［Ｃ１０］
前記スケジューリンググラントは、ユーザ機器（ＵＥ）−ＲＳが送信時間間隔（ＴＴＩ）において受信されることになるかどうかをさらにインジケートし、前記ＲＳリソースロケーションを決定することは、少なくとも、前記ＵＥ−ＲＳを受信するための送信時間間隔（ＴＴＩ）を決定することを含み、前記１つまたは複数のＲＳを受信することは、前記アクセスポイントから前記ＴＴＩ中に前記ＵＥ−ＲＳを受信することを含む、Ｃ１に記載の方法。
［Ｃ１１］
少なくとも前記ＴＴＩを決定することは、前記スケジューリンググラントにおいて指定された前記１つまたは複数のパラメータに少なくとも部分的に基づく、Ｃ１０に記載の方法。
［Ｃ１２］
前記アクセスポイントから前記ＴＴＩにおいてチャネル状態情報（ＣＳＩ）−ＲＳを受信することをさらに備える、Ｃ１０に記載の方法。
［Ｃ１３］
セル固有基準信号（ＣＲＳ）測定値を前記アクセスポイントに報告することをさらに備え、前記１つまたは複数のパラメータは、前記ＣＲＳ測定値に基づく前記１つまたは複数のＲＳのためのＲＳ周波数トーンをインジケートする、Ｃ１に記載の方法。
［Ｃ１４］
前記スケジューリンググラントは、送信時間間隔（ＴＴＩ）の間チャネル状態情報（ＣＳＩ）−干渉管理（ＩＭ）がイネーブルにされるかどうかをさらにインジケートし、前記方法は、構成されたＣＳＩ−ＩＭリソースロケーションに基づいて干渉測定またはレートマッチングを行うことをさらに備える、Ｃ１に記載の方法。
［Ｃ１５］
無線リソース制御（ＲＲＣ）構成において前記ＴＴＩ内に前記構成されたＣＳＩ−ＩＭリソースロケーションのインジケーションを受信することに基づいて、前記構成されたＣＳＩ−ＩＭリソースロケーションを決定することをさらに備える、Ｃ１４に記載の方法。
［Ｃ１６］
複数の送信時間間隔（ＴＴＩ）内に制御信号を復調および復号すること、制御データを取り除くために前記制御信号を再変調することに基づいて前記複数のＴＴＩの各々ごとにチャネル推定値を取得すること、および前記チャネル推定値を差し引くことに少なくとも部分的に基づいて、前記複数のＴＴＩにわたって１つまたは複数のアクセスポイントからの干渉レベルを決定することをさらに備える、Ｃ１に記載の方法。
［Ｃ１７］
ワイヤレス通信において基準信号（ＲＳ）を送信するためのリソースの構成を指定するための方法であって、
ユーザ機器（ＵＥ）と通信するためのリソースのスケジューリンググラントを生成することと、ここにおいて、前記スケジューリンググラントは、１つまたは複数のＲＳを送信することに関する１つまたは複数のパラメータをインジケートする、
前記スケジューリンググラントを前記ＵＥに送信することと、
前記１つまたは複数のパラメータに少なくとも部分的に基づいて、ＲＳリソース上で前記１つまたは複数のＲＳを送信することと
を備える方法。
［Ｃ１８］
前記スケジューリンググラントは、チャネル状態情報（ＣＳＩ）−ＲＳ送信に対応するプロセス番号をインジケートし、前記１つまたは複数のＲＳを送信することは、前記プロセス番号に対応する送信時間間隔（ＴＴＩ）中に前記ＣＳＩ−ＲＳを送信することを含む、Ｃ１７に記載の方法。
［Ｃ１９］
ＣＳＩフィードバックを送信するためのアップリンクスケジューリンググラントを前記ＵＥに送信することをさらに備える、Ｃ１８に記載の方法。
［Ｃ２０］
前記アップリンクスケジューリンググラントに基づいて、後続のＴＴＩにおいて前記ＵＥから前記ＣＳＩ−ＲＳに対応するＣＳＩフィードバックを受信することをさらに備える、Ｃ１９に記載の方法。
［Ｃ２１］
前記ＣＳＩフィードバックを受信することは、前記アップリンクスケジューリンググラントに対応するチャネル上で、データと多重化された前記ＣＳＩフィードバックを受信することを含む、Ｃ２０に記載の方法。
［Ｃ２２］
前記アップリンクスケジューリンググラントは、前記チャネルのセグメントのインデックスをインジケートし、ここで、他のセグメントは、他のＵＥに割り当てられ、前記ＣＳＩフィードバックを受信することは、前記チャネルの前記セグメントにおいて前記ＣＳＩフィードバックを受信することを含む、Ｃ２０に記載の方法。
［Ｃ２３］
前記ＣＳＩ−ＲＳを送信することは、前記プロセス番号に対応するある数のアンテナポート上で前記ＣＳＩ−ＲＳを送信することを含む、Ｃ１８に記載の方法。
［Ｃ２４］
無線リソース制御（ＲＲＣ）シグナリング）を使用して、複数のプロセス番号および関連するパラメータを前記ＵＥにシグナリングすることをさらに備え、ここにおいて、前記ＣＳＩ−ＲＳを送信することは、前記プロセス番号に関する前記関連するパラメータに基づく、Ｃ２３に記載の方法。
［Ｃ２５］
前記ＣＳＩ−ＲＳを送信することは、前記アンテナポートの数に対応する、周波数におけるチャネル上で前記ＣＳＩ−ＲＳを送信することを含む、Ｃ２３に記載の方法。
［Ｃ２６］
前記ＴＴＩにおいてユーザ機器（ＵＥ）−ＲＳを前記ＵＥに送信することをさらに備える、Ｃ１８に記載の方法。
［Ｃ２７］
セル固有基準信号（ＣＲＳ）送信に対応する前記ＵＥからのチャネルコヒーレンス帯域幅の推定値を受信することと、
前記チャネルコヒーレンス帯域幅の前記推定値に少なくとも部分的に基づいて、前記１つまたは複数のＲＳのための周波数トーンの数を決定することと、ここにおいて、前記１つまたは複数のＲＳを送信することは、前記周波数トーンの数に基づく、
をさらに備える、Ｃ１７に記載の方法。
［Ｃ２８］
前記スケジューリンググラントは、送信時間間隔（ＴＴＩ）についてチャネル状態情報（ＣＳＩ）−干渉管理（ＩＭ）がイネーブルにされるかどうかをインジケートする、Ｃ１７に記載の方法。
［Ｃ２９］
ワイヤレス通信のための装置であって、
１つまたは複数のアンテナを介して１つまたは複数のワイヤレス信号を通信するためのトランシーバと、
命令を記憶するように構成されたメモリと、
前記トランシーバおよび前記メモリと通信的に結合された１つまたは複数のプロセッサ
を備え、前記１つまたは複数のプロセッサは、
アクセスポイントからリソースのスケジューリンググラントを受信することと、ここにおいて、前記スケジューリンググラントは、１つまたは複数の基準信号（ＲＳ）の送信ロケーションに関する１つまたは複数のパラメータをインジケートする、
前記１つまたは複数のパラメータに少なくとも部分的に基づいて、前記１つまたは複数のＲＳのためのＲＳリソースロケーションを決定することと、
前記ＲＳリソースロケーション上で前記１つまたは複数のＲＳを受信することと
を行うように構成される、装置。
［Ｃ３０］
ワイヤレス通信のための装置であって、
１つまたは複数のアンテナを介して１つまたは複数のワイヤレス信号を通信するためのトランシーバと、
命令を記憶するように構成されたメモリと、
前記トランシーバおよび前記メモリと通信的に結合された１つまたは複数のプロセッサと
を備え、前記１つまたは複数のプロセッサは、
ユーザ機器（ＵＥ）と通信するためのリソースのスケジューリンググラントを生成することと、ここにおいて、前記スケジューリンググラントは、１つまたは複数の基準信号（ＲＳ）を送信することに関する１つまたは複数のパラメータをインジケートする、
前記スケジューリンググラントを前記ＵＥに送信することと、
前記１つまたは複数のパラメータに少なくとも部分的に基づいて、ＲＳリソース上で前記１つまたは複数のＲＳを送信することと
を行うように構成される、装置。
【国際調査報告】
2019509666.tif 000017
2019509666.tif 000018
2019509666.tif 000019